(57)【要約】  ＵＥ装置は、ＵＥ能力を決定し、ＵＥ能力情報を基地局にシグナリングする。ＵＥは、少なくとも１つの帯域組合せに関してＲＦ能力情報を基地局にシグナリングし、（1つまたは複数の）他のベースバンドパラメータ（ｏｂｐ）を基地局にシグナリングし得る。ＲＦ能力情報は、少なくとも１つの他の帯域組合せパラメータに関してＲＦ能力を示す。ｏｂｐは、ＵＥごとベース、帯域ごとベース、帯域組合せごとベース、帯域ごと、帯域組合せごとベース、および／またはＣＣごと、帯域ごと、帯域組合せごとベースで示され得る。各帯域組合せは、ヌメロロジ、レイヤ、および帯域幅の組合せを示し得る。別の例では、複数のベースバンドが定義され得、各ベースバンドは、ヌメロロジ、レイヤ、および帯域幅の組合せを示す。【選択図】図１２
2021514139.tif 000002
【特許請求の範囲】
【請求項１】
ユーザ機器（ＵＥ）におけるワイヤレス通信の方法であって、
少なくとも１つのＵＥ能力を決定することと、
ＵＥ能力情報を基地局にシグナリングすることと、
を備え、前記シグナリングすることは、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を含む、方法。
【請求項２】
前記少なくとも１つの他のベースバンドパラメータは、帯域ごとに示される、請求項１に記載の方法。
【請求項３】
前記少なくとも１つの他のベースバンドパラメータのベースバンドパラメータについてのサポートは、識別子（ＩＤ）を使用して示される、請求項２に記載の方法。
【請求項４】
前記少なくとも１つの他のベースバンドパラメータの前記ベースバンドパラメータについてのサポートは、コンポーネントキャリア（ＣＣ）ごとに示される、請求項１に記載の方法。
【請求項５】
ＣＣについての前記少なくとも１つの他のベースバンドパラメータの前記ベースバンドパラメータについての前記サポートは、識別子（ＩＤ）を使用して示される、請求項４に記載の方法。
【請求項６】
前記少なくとも１つの他のベースバンドパラメータのベースバンドパラメータについてのサポートは、帯域ごと、およびＣＣごとに示される、請求項１に記載の方法。
【請求項７】
前記ＲＦ能力情報は、前記他のベースバンドパラメータについての対応する識別子（ＩＤ）に関して、前記少なくとも１つの他のベースバンドパラメータのベースバンドパラメータについてのサポートを示す、請求項１に記載の方法。
【請求項８】
他の各ベースバンドパラメータは、前記対応するＩＤに関して帯域パラメータのサポートを示す、請求項７に記載の方法。
【請求項９】
他の各ベースバンドパラメータは、前記ＩＤに関してコンポーネントキャリア（ＣＣ）パラメータについてのサポートを示す、請求項８に記載の方法。
【請求項１０】
前記少なくとも１つの他のベースバンドパラメータは、前記ＵＥによってサポートされる能力のリストに含まれる、請求項１に記載の方法。
【請求項１１】
前記ＵＥによってサポートされる能力の各セットは、対応する他のベースバンドパラメータ識別子（ＩＤ）を有する、請求項１０に記載の方法。
【請求項１２】
定義された各帯域組合せは、帯域幅組合せセット識別子を備え、前記ＲＦ能力情報は、前記帯域幅組合せセット識別子に関して、定義された複数のベースバンドのうちの１つについての前記ＲＦ能力を示す、請求項１に記載の方法。
【請求項１３】
前記少なくとも１つの他のベースバンドパラメータは、複数のＲＦ帯域にわたって共通である、請求項１に記載の方法。
【請求項１４】
各帯域組合せは、ヌメロロジ、レイヤ、または帯域幅のうちの少なくとも１つを備える組合せを示す、請求項１に記載の方法。
【請求項１５】
前記ＲＦ能力情報は、前記ヌメロロジ、前記レイヤ、および前記帯域幅が特定の帯域組合せについてサポートされるかどうかを示す、請求項１４に記載の方法。
【請求項１６】
前記ＵＥ能力情報は、帯域幅クラスの指示なしでシグナリングされる、請求項１に記載の方法。
【請求項１７】
複数の帯域組合せが定義され、各帯域組合せは、ヌメロロジ、レイヤ、および帯域幅クラスのうちの少なくとも１つを備え、
前記ＲＦ能力情報は、前記定義された複数の帯域幅クラスのうちの１つについてのＲＦ能力を示す、請求項１に記載の方法。
【請求項１８】
ユーザ機器（ＵＥ）におけるワイヤレス通信のための装置であって、
少なくとも１つのＵＥ能力を決定するための手段と、
基地局にＵＥ能力情報をシグナリングするための手段と、
を備え、ここにおいて、前記シグナリングのための手段は、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を行うように構成された、装置。
【請求項１９】
前記少なくとも１つの他のベースバンドパラメータのベースバンドパラメータについてのサポートは、識別子（ＩＤ）を使用して帯域ごとに示される、請求項１８に記載の装置。
【請求項２０】
前記少なくとも１つの他のベースバンドパラメータの前記ベースバンドパラメータについての前記サポートは、コンポーネントキャリア（ＣＣ）ごとに、および識別子（ＩＤ）を使用して示される、請求項１８に記載の装置。
【請求項２１】
前記少なくとも１つの他のベースバンドパラメータのベースバンドパラメータについての前記サポートは、帯域ごと、およびＣＣごとに示される、請求項１８に記載の装置。
【請求項２２】
前記ＲＦ能力情報は、前記他のベースバンドパラメータについての対応する識別子（ＩＤ）に関して、前記少なくとも１つの他のベースバンドパラメータの前記ベースバンドパラメータについての前記サポートを示す、請求項１８に記載の装置。
【請求項２３】
コンポーネントキャリア（ＣＣ）パラメータについての前記サポートは、前記ＩＤに関して示される、請求項２２に記載の装置。
【請求項２４】
前記少なくとも１つの他のベースバンドパラメータは、前記ＵＥによってサポートされる能力のリストに含まれ、前記ＵＥによってサポートされる能力の各セットは、対応する他のベースバンドパラメータ識別子（ＩＤ）を有する、請求項１８に記載の装置。
【請求項２５】
定義された各帯域組合せは、帯域幅組合せセット識別子を備え、前記ＲＦ能力情報は、前記帯域幅組合せセット識別子に関して、定義された複数のベースバンドのうちの１つについての前記ＲＦ能力を示す、請求項１８に記載の装置。
【請求項２６】
前記少なくとも１つの他のベースバンドパラメータは、複数のＲＦ帯域にわたって共通である、請求項１８に記載の装置。
【請求項２７】
各帯域組合せは、ヌメロロジ、レイヤ、または帯域幅のうちの少なくとも１つを備える組合せを示す、請求項２６に記載の装置。
【請求項２８】
前記ＲＦ能力情報は、前記ヌメロロジ、前記レイヤ、および前記帯域幅が特定の帯域組合せについてサポートされるかどうかを示す、請求項２７に記載の装置。
【請求項２９】
前記ＵＥ能力情報は、帯域幅クラスの指示なしでシグナリングされる、請求項１８に記載の装置。
【請求項３０】
複数の帯域組合せが定義され、各帯域組合せは、ヌメロロジ、レイヤ、および帯域幅クラスのうちの少なくとも１つを備え、
前記ＲＦ能力情報は、前記定義された複数の帯域幅クラスのうちの１つについてのＲＦ能力を示す、請求項１８に記載の装置。
【請求項３１】
ユーザ機器（ＵＥ）におけるワイヤレス通信のための装置であって、
メモリと、
前記メモリに結合された少なくとも１つのプロセッサと、
を備え、前記少なくとも１つのプロセッサは、
少なくとも１つのＵＥ能力を決定することと、
ＵＥ能力情報を基地局にシグナリングすることと、
を行うように構成され、前記シグナリングすることは、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を含む、装置。
【請求項３２】
前記少なくとも１つの他のベースバンドパラメータのベースバンドパラメータについてのサポートは、帯域ごとに、および識別子（ＩＤ）を使用して示される、請求項３１に記載の装置。
【請求項３３】
前記少なくとも１つの他のベースバンドパラメータについてのサポートは、コンポーネントキャリア（ＣＣ）ごとに、および識別子（ＩＤ）を使用して示される、請求項３１に記載の装置。
【請求項３４】
前記少なくとも１つの他のベースバンドパラメータについてのサポートは、帯域ごと、およびＣＣごとに示される、請求項３１に記載の装置。
【請求項３５】
前記ＲＦ能力情報は、前記他のベースバンドパラメータについての対応する識別子（ＩＤ）に関して、前記少なくとも１つの他のベースバンドパラメータのベースバンドパラメータについてのサポートを示す、請求項３１に記載の装置。
【請求項３６】
前記他のベースバンドパラメータは、前記ＩＤに関してコンポーネントキャリア（ＣＣ）パラメータについての前記サポートを示す、請求項３５に記載の装置。
【請求項３７】
前記少なくとも１つの他のベースバンドパラメータは、前記ＵＥによってサポートされる能力のリストに含まれ、前記ＵＥによってサポートされる能力の各セットは、対応する他のベースバンドパラメータ識別子（ＩＤ）を有する、請求項３１に記載の装置。
【請求項３８】
定義された各帯域組合せは、帯域幅組合せセット識別子を備え、前記ＲＦ能力情報は、前記帯域幅組合せセット識別子に関して、定義された複数のベースバンドのうちの１つについての前記ＲＦ能力を示す、請求項３１に記載の装置。
【請求項３９】
前記少なくとも１つの他のベースバンドパラメータは、複数のＲＦ帯域にわたって共通である、請求項３１に記載の装置。
【請求項４０】
各帯域組合せは、ヌメロロジ、レイヤ、または帯域幅のうちの少なくとも１つを備える組合せを示す、請求項３９に記載の装置。
【請求項４１】
前記ＲＦ能力情報は、前記ヌメロロジ、前記レイヤ、および前記帯域幅が特定の帯域組合せについてサポートされるかどうかを示す、請求項４０に記載の装置。
【請求項４２】
前記ＵＥ能力情報は、帯域幅クラスの指示なしでシグナリングされる、請求項３１に記載の装置。
【請求項４３】
複数の帯域組合せが定義され、各帯域組合せは、ヌメロロジ、レイヤ、および帯域幅クラスのうちの少なくとも１つを備え、
前記ＲＦ能力情報は、前記定義された複数の帯域幅クラスのうちの１つについてのＲＦ能力を示す、請求項３１に記載の装置。
【請求項４４】
ユーザ機器（ＵＥ）におけるワイヤレス通信のためのコンピュータ実行可能コードを記憶するコンピュータ可読媒体であって、前記コードは、プロセッサによって実行されると、前記プロセッサに、
少なくとも１つのＵＥ能力を決定することと、
ＵＥ能力情報を基地局にシグナリングすることと、
を行わせ、前記シグナリングすることは、
少なくとも１つの帯域組合せに関して無線周波数（ＲＦ）能力情報を前記基地局にシグナリングすることと、
少なくとも１つの他のベースバンドパラメータを前記基地局にシグナリングすることと、ここにおいて、前記ＲＦ能力情報は、前記少なくとも１つの他のベースバンドパラメータに関してＲＦ能力を示す、
を含む、コンピュータ可読媒体。
【発明の詳細な説明】
【関連出願に対する相互参照】
【０００１】
[0001]  本出願は、２０１８年２月１５日出願の「Size Optimized Encoding of Capability Structure for Multicarrier Systems」と題する米国仮特許出願第６２／６３１，４９７、および２０１８年２月２３日出願の「Size Optimized Encoding of Capability Structure for Multicarrier Systems」と題する米国仮特許出願第６２／６３４，７５７、および２０１９年２月１１日出願の「Size Optimized Encoding of Capability Structure for Multicarrier Systems」と題する米国特許出願第１６，２７２，７１０号の利益を主張するものであり、それらの全体が参照により本明細書に明示的に組み込まれる。
【技術分野】
【０００２】
[0002]  本開示は、概して、ワイヤレス通信システムに関し、より具体的には、マルチキャリアシステムにおけるユーザ機器（ＵＥ）能力の符号化および通信に関する。
【背景技術】
【０００３】
イントロダクション
[0003]  ワイヤレス通信システムは、電話通信、ビデオ、データ、メッセージング、およびブロードキャストなどの様々な電気通信サービスを提供するために幅広く展開されている。典型的なワイヤレス通信システムは、利用可能なシステムリソースを共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  これらの多元接続技術は、異なるワイヤレスデバイスが、都市、国家、地域、さらには地球レベルで通信することを可能にする、共通のプロトコルを提供するために、様々な電気通信規格において採用されている。例示的な電気通信規格は、５Ｇニューラジオ（ＮＲ：New Radio）である。５Ｇ ＮＲは、レイテンシ、信頼性、セキュリティ、（例えば、モノのインターネット（ＩｏＴ）を用いた）スケーラビリティ、および他の要件に関連付けられた新しい要件を満たすために、第３世代パートナーシッププロジェクト（３ＧＰＰ（登録商標））によって公表された連続的なモバイルブロードバンドの進化の一部である。５Ｇ ＮＲのいくつかの態様は、４Ｇロングタームエボリューション（ＬＴＥ（登録商標））規格に基づき得る。５Ｇ ＮＲ技術におけるさらなる改善の必要性が存在する。これらの改善はまた、他の多元接続技術およびこれらの技術を用いる電気通信規格にも適用可能であり得る。
【発明の概要】
【０００５】
[0005]  以下は、１つまたは複数の態様の基本的な理解を提供するために、そのような態様の簡略化された概要を提示する。この概要は、企図されるすべての態様の広範な概観ではなく、また、すべての態様の主要または重要な要素を特定することも、任意またはすべての態様の範囲を定めることも意図しない。その唯一の目的は、後に提示されるより詳細な説明の前置きとして、簡略化された形式で１つまたは複数の態様のいくつかの概念を提示することである。
【０００６】
[0006]  本開示の一態様では、ＵＥのための方法、コンピュータ可読媒体、および装置が提供される。ＵＥ装置は、ＵＥ能力を決定し、ＵＥ能力情報を基地局にシグナリングする。ＵＥは、少なくとも１つの帯域組合せに関して（with reference to at least one band combination）ＲＦ能力情報を基地局にシグナリングし、他の帯域組合せパラメータを基地局にシグナリングし、ここにおいて、ＲＦ能力情報は、少なくとも１つの他の帯域組合せパラメータおよび少なくとも１つの他の帯域パラメータに関して（with reference to）ＲＦ能力を示す。
【０００７】
[0007]  前述の目的および関連する目的の達成のために、１つまたは複数の態様は、以下で十分に説明され、かつ特許請求の範囲において具体的に示される特徴を備える。下記の説明および付属の図面は、１つまたは複数の態様のある特定の例示的な特徴を詳細に記載する。しかしながら、これらの特徴は、様々な態様の原理が用いられ得る様々な方法のごく一部を示すものであり、この説明は、そのようなすべての態様およびそれらの同等物を含むことを意図する。
【図面の簡単な説明】
【０００８】
【図１】[0008]  ワイヤレス通信システムおよびアクセスネットワークの一例を例示する図である。
【図２】[0009]  ５Ｇ／ＮＲフレーム構造の一例を例示する図である。
【図３】[0010]  アクセスネットワークにおける基地局およびユーザ機器（ＵＥ）の一例を例示する図である。
【図４】[0011]  ＵＥ能力シグナリングの一例の図である。
【図５】[0012]  ＵＥ能力シグナリングに関する課題を例示する図である。
【図６】[0013]  ＵＥ能力シグナリングに関する例示的な部分ヒートマップである。
【図７】[0014]  定義されたベースバンドを有するＵＥ能力シグナリングの一例を例示する。
【図８】[0015]  定義されたベースバンドを有するＵＥ能力シグナリングの一例を例示する。
【図９】[0016]  ワイヤレス通信の方法のフローチャートである。
【図１０】[0017]  例示的な装置における異なる手段／コンポーネント間のデータフローを例示する概念的なデータフロー図である。
【図１１】[0018]  処理システムを用いる装置のためのハードウェアインプリメンテーションの一例を例示する図である。
【図１２】[0019]  ＵＥ能力シグナリングの一例を例示する。
【図１３】[0020]  ＵＥ能力シグナリングの一例を例示する。
【図１４】[0021]  ＵＥ能力シグナリングの一例を例示する。
【図１５】[0022]  ワイヤレス通信の方法のフローチャートである。
【図１６】[0023]  ワイヤレス通信の方法のフローチャートである。
【図１７】[0024]  例示的な装置における異なる手段／コンポーネント間のデータフローを例示する概念的なデータフロー図である。
【図１８】[0025]  処理システムを用いる装置のためのハードウェアインプリメンテーションの一例を例示する図である。
【詳細な説明】
【０００９】
[0026]  添付の図面に関連して以下に記載される詳細な説明は、様々な構成の説明として意図されており、本明細書に説明される概念が実施され得る構成のみを表すように意図されたものではない。詳細な説明は、様々な概念の完全な理解を提供する目的で特定の詳細を含む。しかしながら、これらの概念がこれらの特定の詳細なしに実施され得ることが当業者には明らかになるであろう。いくつかの事例では、周知の構造およびコンポーネントが、そのような概念を曖昧にすることを避けるためにブロック図の形式で示される。
【００１０】
[0027]  電気通信システムのいくつかの態様が、ここで様々な装置および方法を参照して提示される。これらの装置および方法は、以下の詳細な説明において説明され、様々なブロック、コンポーネント、回路、プロセス、アルゴリズム等（「要素」と総称される）によって、添付図面において例示される。これらの要素は、電子ハードウェア、コンピュータソフトウェア、またはこれらの任意の組合せを使用してインプリメントされ得る。そのような要素がハードウェアとして実装されるかソフトウェアとしてインプリメントされるかは、システム全体に課せられた設計制約および特定用途に依存する。
【００１１】
[0028]  例として、要素、または要素の任意の部分、または要素の任意の組合せは、１つまたは複数のプロセッサを含む「処理システム」としてインプリメントされ得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、ステートマシン、ゲートロジック、ディスクリートハードウェア回路、および本開示全体を通して説明される様々な機能を実行するように構成された他の好適なハードウェアを含む。処理システム内の１つまたは複数のプロセッサは、ソフトウェアを実行し得る。ソフトウェアは、ソフトウェア、ファームウェア、ミドルウェア、マイクロコード、ハードウェア記述言語と呼ばれるかまたは他の名称で呼ばれるかどうかにかかわらず、命令、命令のセット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味するように幅広く解釈されるものとする。
【００１２】
[0029]  したがって、１つまたは複数の例示的な実施形態では、説明される機能は、ハードウェア、ソフトウェア、またはそれらの任意の組合せでインプリメントされ得る。ソフトウェアにおいてインプリメントされる場合、これら機能は、コンピュータ可読媒体上で、１つまたは複数の命令もしくはコードとして符号化または記憶され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、前述のタイプのコンピュータ可読媒体の組合せ、またはコンピュータによってアクセスされることができるデータ構造もしくは命令の形態でコンピュータ実行可能コードを記憶するために使用されることができる任意の他の媒体を備えることができる。
【００１３】
[0030]  図１は、ワイヤレス通信システムおよびアクセスネットワーク１００の一例を例示する図である。ワイヤレス通信システム（ワイヤレスワイドエリアネットワーク（ＷＷＡＮ）とも呼ばれる）は、基地局１０２、ＵＥ１０４、発展型パケットコア（ＥＰＣ）１６０、およびコアネットワーク１９０（例えば、５Ｇコア（５ＧＣ））を含む。基地局１０２は、マクロセル（高電力セルラ基地局）および／またはスモールセル（低電力セルラ基地局）を含み得る。マクロセルは基地局を含む。スモールセルは、フェムトセル、ピコセル、およびマイクロセルを含む。
【００１４】
[0031]  ４Ｇ ＬＴＥ（発展型ユニバーサルモバイル電気通信システム（ＵＭＴＳ）地上無線アクセスネットワーク（Ｅ−ＵＴＲＡＮ）と総称される）のために構成された基地局１０２は、バックホールリンク１３２（例えば、Ｓ１インターフェース）を通じてＥＰＣ１６０とのインターフェースをとり得る。５Ｇ ＮＲ（次世代ＲＡＮ（ＮＧ−ＲＡＮ）と総称される）のために構成された基地局１０２は、バックホールリンク１８４を通じてコアネットワーク１９０とのインターフェースをとり得る。他の機能に加えて、基地局１０２は、次の機能のうちの１つまたは複数を実行し得る：ユーザデータの転送、無線チャネルの暗号化（ciphering）および暗号解読（deciphering:復号）、インテグリティ保護、ヘッダ圧縮、モビリティ制御機能（例えば、ハンドオーバ、デュアル接続性）、セル間干渉調整、接続セットアップおよびリリース、負荷バランシング、非アクセス階層（ＮＡＳ:non-access stratum）メッセージのための分配、ＮＡＳノード選択、同期、無線アクセスネットワーク（ＲＡＮ）共有、マルチメディアブロードキャストマルチキャストサービス（ＭＢＭＳ）、加入者および装置トレース、ＲＡＮ情報管理（ＲＩＭ）、ページング、ポジショニング、および警告メッセージの配信。基地局１０２は、バックホールリンク１３４（例えば、Ｘ２インターフェース）上で互いと直接または間接的に（例えば、ＥＰＣ１６０またはコアネットワーク１９０を通じて）通信し得る。バックホールリンク１３４は、ワイヤードまたはワイヤレスであり得る。
【００１５】
[0032]  基地局１０２は、ＵＥ１０４とワイヤレスに通信し得る。基地局１０２の各々は、それぞれの地理的なカバレッジエリア１１０に通信カバレッジを提供し得る。重複している地理的カバレッジエリア１１０があり得る。例えば、スモールセル１０２’は、１つまたは複数のマクロ基地局１０２のカバレッジエリア１１０と重複するカバレッジエリア１１０’を有し得る。スモールセルとマクロセルの両方を含むネットワークは、異種ネットワークとして知られ得る。異種ネットワークはまた、ホーム発展型ノードＢ（ｅＮＢ）（ＨｅＮＢ）も含み得、これは、限定加入者グループ（ＣＳＧ：closed subscriber group）として知られる制限されたグループにサービスを提供し得る。基地局１０２とＵＥ１０４との間の通信リンク１２０は、ＵＥ１０４から基地局１０２へのアップリンク（ＵＬ）送信（逆方向リンクとも呼ばれる）および／または基地局１０２からＵＥ１０４へのダウンリンク（ＤＬ）送信（順方向リンクとも呼ばれる）を含み得る。通信リンク１２０は、空間多重化、ビームフォーミング、および／または送信ダイバーシティを含む、多入力多出力（ＭＩＭＯ）アンテナ技術を使用し得る。通信リンクは、１つまたは複数のキャリアを通じてあり得る。基地局１０２／ＵＥ１０４は、各方向への送信のために使用される最大で合計Ｙｘ ＭＨｘ（ｘ個のコンポーネントキャリア）のキャリアアグリゲーションにおいて割り振られるキャリア当たり最大Ｙ ＭＨｚ（例えば、５、１０、１５、２０、１００、４００等のＭＨｚ）帯域幅のスペクトルを使用し得る。キャリアは、互いに隣接していることも、していないこともある。キャリアの割振りは、ＤＬおよびＵＬに対して非対称であり得る（例えば、ＵＬに対してよりもＤＬに対してより多くのまたはより少ないキャリアが割り振られ得る）。コンポーネントキャリアは、１つのプライマリコンポーネントキャリアと１つまたは複数のセカンダリコンポーネントキャリアとを含み得る。プライマリコンポーネントキャリアは、プライマリセル（ＰＣｅｌｌ）と呼ばれ得、セカンダリコンポーネントキャリアは、セカンダリセル（ＳＣｅｌｌ）と呼ばれ得る。
【００１６】
[0033]  ある特定のＵＥ１０４は、デバイス間（Ｄ２Ｄ）通信リンク１５８を使用して互いと通信し得る。Ｄ２Ｄ通信リンク１５８は、ＤＬ／ＵＬ ＷＷＡＮスペクトルを使用し得る。Ｄ２Ｄ通信リンク１５８は、物理サイドリンクブロードキャストチャネル（ＰＳＢＣＨ）、物理サイドリンク発見チャネル（ＰＳＤＣＨ）、物理サイドリンク共有チャネル（ＰＳＳＣＨ）、および物理サイドリンク制御チャネル（ＰＳＣＣＨ）などの、１つまたは複数のサイドリンクチャネルを使用し得る。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１規格に基づくＷｉ−Ｆｉ、ＬＴＥ、またはＮＲなどの、様々なワイヤレスＤ２Ｄ通信システムを通り得る。
【００１７】
[0034]  ワイヤレス通信システムは、５ＧＨｚのアンライセンス周波数スペクトルにおいて通信リンク１５４を介してＷｉ−Ｆｉ局（ＳＴＡ）１５２と通信状態であるＷｉ−Ｆｉアクセスポイント（ＡＰ）１５０をさらに含み得る。アンライセンス周波数スペクトルにおいて通信するとき、ＳＴＡ１５２／ＡＰ１５０は、チャネルが利用可能であるかどうかを決定するために、通信するより前にクリアチャネルアセスメント（ＣＣＡ）を実行し得る。
【００１８】
[0035]  スモールセル１０２’は、ライセンスおよび／またはアンライセンス周波数スペクトルにおいて動作し得る。アンライセンス周波数スペクトルにおいて動作するとき、スモールセル１０２’は、ＮＲを用い、Ｗｉ−Ｆｉ ＡＰ１５０によって使用されるのと同じ５ＧＨｚのアンライセンス周波数スペクトルを使用し得る。アンライセンス周波数スペクトルにおいてＮＲを用いるスモールセル１０２’は、アクセスネットワークに対するカバレッジを強化および／またはアクセスネットワークの容量を増大させ得る。
【００１９】
[0036]  基地局１０２は、スモールセル１０２’であれ、ラージセル（例えば、マクロ基地局）であれ、ｅＮＢ、ｇノードＢ（ｇＮＢ）、または他のタイプの基地局を含み得る。ｇＮＢ１８０などのいくつかの基地局は、ＵＥ１０４と通信しているニアミリメートル波（ｍｍＷ）周波数およびまたはｍｍＷ周波数において、従来の（traditional）サブ６ＧＨｚスペクトルにおいて動作し得る。ｇＮＢ１８０がｍｍＷまたはニアｍｍＷ周波数で動作するとき、ｇＮＢ１８０は、ｍｍＷ基地局と呼ばれ得る。ＥＨＦ（Extremely high frequency）は、電磁スペクトルにおけるＲＦの一部である。ＥＨＦは、３０ＧＨｚ〜３００ＧＨｚの範囲、および１ミリメートルから１０ミリメートルの間の波長を有する。帯域中の電波（radio waves）は、ミリメートル波と呼ばれ得る。ニアｍｍＷは、１００ミリメートルの波長を有する３ＧＨｚの周波数まで下がって広がり得る。ＳＨＦ（super high frequency）帯域は、３ＧＨｚから３０ＧＨｚの間に広がり、センチメートル波とも呼ばれる。ｍｍＷ／ニアｍｍＷ無線周波数帯域を使用する通信は、極めて高い経路損失および短い距離を有する。ｍｍＷ基地局１８０は、極めて高い経路損失および短い距離を補償するために、ＵＥ１０４とのビームフォーミング１８２を利用し得る。
【００２０】
[0037]  基地局１８０は、１つまたは複数の送信方向１８２’において、ビームフォーミングされた信号をＵＥ１０４に送信し得る。ＵＥ１０４は、１つまたは複数の受信方向１８２’’において、ビームフォーミングされた信号を基地局１８０から受信し得る。ＵＥ１０４はまた、１つまたは複数の送信方向において、ビームフォーミングされた信号を基地局１８０に送信し得る。基地局１８０は、１つまたは複数の受信方向において、ビームフォーミングされた信号をＵＥ１０４から受信し得る。基地局１８０／ＵＥ１０４は、基地局１８０／ＵＥ１０４の各々についての最良の受信および送信方向を決定するために、ビームトレーニングを実行し得る。基地局１８０についての送信方向および受信方向は、同じであることも、同じでないこともある。ＵＥ１０４についての送信方向および受信方向は、同じであることも、同じでないこともある。
【００２１】
[0038]  ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンター（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ１０４とＥＰＣ１６０との間のシグナリングを処理する制御ノードである。一般に、ＭＭＥ１６２はベアラおよび接続管理を提供する。すべてのユーザインターネットプロトコル（ＩＰ）パケットは、サービングゲートウェイ１６６を通じて転送され、それ自体は、ＰＤＮゲートウェイ１７２に接続される。ＰＤＮゲートウェイ１７２は、ＵＥ ＩＰアドレス割振り、ならびに他の機能を提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ストリーミングサービス、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとして役割を果たし得、地上公共移動通信ネットワーク（ＰＬＭＮ）内でＭＢＭＳベアラサービスを認可および開始するために使用され得、およびＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）と、ｅＭＢＭＳ関連の課金情報を収集することとを担い得る。
【００２２】
[0039]  コアネットワーク１９０は、アクセスおよびモビリティ管理機能（ＡＭＦ）１９２、他のＡＭＦ１９３、セッション管理機能（ＳＭＦ）１９４、およびユーザプレーン機能（ＵＰＦ）１９５を含み得る。ＡＭＦ１９２は、統一データ管理（ＵＤＭ：Unified Data Management）１９６と通信状態にあり得る。ＡＭＦ１９２は、ＵＥ１０４とコアネットワーク１９０との間のシグナリングを処理する制御ノードである。一般に、ＡＭＦ１９２は、ＱｏＳフローおよびセッション管理を提供する。すべてのユーザインターネットプロトコル（ＩＰ）パケットは、ＵＰＦ１９５を通じて転送される。ＵＰＦ１９５は、ＵＥ ＩＰアドレス割振り並びに他の機能を提供する。ＵＰＦ１９５は、ＩＰサービス１９７に接続される。ＩＰサービス１９７は、インターネット、イントラネット、ＩＰマルチメディアサブシステム（ＩＭＳ）、ＰＳストリーミングサービス、および／または他のＩＰサービスを含み得る。
【００２３】
[0040]  基地局はまた、ｇＮＢ、ノードＢ、発展型ノードＢ（ｅＮＢ）、アクセスポイント、トランシーバ基地局、無線基地局、無線トランシーバ、トランシーバ機能、基本サービスセット（ＢＳＳ）、拡張サービスセット（ＥＳＳ）、送受信ポイント（ＴＲＰ）と呼ばれ得るか、または他の何らかの好適な専門用語で呼ばれ得る。基地局１０２は、ＵＥ１０４に対してＥＰＣ１６０またはコアネットワーク１９０へのアクセスポイントを提供する。ＵＥ１０４の例は、セルラ電話、スマートフォン、セッション開始プロトコル（ＳＩＰ）フォン、ラップトップ、携帯情報端末（ＰＤＡ）、衛星ラジオ、全世界測位システム、マルチメディアデバイス、ビデオデバイス、デジタルオーディオプレーヤ（例えば、ＭＰ３プレーヤ）、カメラ、ゲームコンソール、タブレット、スマートデバイス、ウェアラブルデバイス、ビークル、電気メータ、ガスポンプ、大型もしくは小型キッチンアプライアンス、ヘルスケアデバイス、インプラント、センサ／アクチュエータ、ディスプレイ、または他の任意の同様の機能デバイスを含む。ＵＥ１０４のうちのいくつかは、ＩｏＴデバイス（例えば、パーキングメータ、ガスポンプ、トースタ、ビークル、心臓モニタ等）と呼ばれ得る。ＵＥ１０４はまた、局、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれ得るか、または他の何らかの好適な専門用語で呼ばれ得る。
【００２４】
[0041]  再び図１を参照すると、ある特定の態様では、ＵＥ１０４は、例えば本明細書で説明されるように、ＵＥ能力を符号化、通信、または処理するためのＵＥ能力コンポーネント１９９を含むように構成され得る。ＵＥ１０４は、ＵＥ能力を決定し、ＵＥ能力情報を基地局１０２／１８０にシグナリングし得る。ＵＥは、少なくとも１つの帯域組合せ（band combination）に関してＲＦ能力情報を基地局にシグナリングし、他のベースバンドパラメータ（ｏｂｐ）を基地局にシグナリングし得る。ＲＦ能力情報は、少なくとも１つのｏｂｐに関してＲＦ能力を示す。ｏｂｐは、ＵＥごとのベース、帯域ごとのベース、帯域組合せごとのベース、帯域ごと、帯域組合せごとのベース、および／またはＣＣごと、帯域ごと、帯域組合せごとのベースで示され得る。ｏｂｐは、例えば、帯域幅、レイヤ、およびヌメロロジとは異なるパラメータを示し得る。同様に、基地局１０２、１８０は、ＵＥ能力情報を受信し、それに基づいてＵＥ能力を決定するように構成されたＵＥ能力コンポーネント１９８を備え得る。
【００２５】
[0042]  図２は、例えば、５Ｇ／ＮＲフレーム構造内で使用され得る例示的なフレーム構造を例示する図２００である。フレーム構造は、ワイヤレス通信のための時間および周波数においてリソースを定義し得る。フレーム構造は、アップリンクサブフレームまたはダウンリンクサブフレームのためであり得る。５Ｇ／ＮＲフレーム構造は、サブキャリアの特定のセット（キャリアシステム帯域幅）について、サブキャリアのセット内のサブフレームがＤＬまたはＵＬのいずれかに専用であるＦＤＤであり得るか、またはサブキャリアの特定のセット（キャリアシステム帯域幅）について、サブキャリアのセット内のサブフレームがＤＬとＵＬの両方に専用であるＴＤＤであり得る。図２に例示される例では、フレーム構造は、ＤＬサブフレームおよび／またはＵＬサブフレームを有するＴＤＤである。任意の特定のサブフレームは、ＵＬとＤＬの両方を提供する異なるサブセットに分けられ得る。以下の説明が、ＦＤＤである５Ｇ／ＮＲフレーム構造にも適用されることに留意されたい。
【００２６】
[0043]  他のワイヤレス通信技術は、異なるフレーム構造および／または異なるチャネルを有し得る。フレーム（例えば、１０ｍｓ）は、１０個の等しいサイズのサブフレーム（１ｍｓ）などの等しいサイズのサブフレームに分割され得る。各サブフレームは、１つまたは複数のタイムスロットを含み得る。各スロットは、スロット構成に依存して、定義された数のシンボル、例えば、７つまたは１４個のシンボルを含み得る。スロット構成０の場合、各スロットは、１４個のシンボルを含み得、スロット構成１の場合、各スロットは、７つのシンボルを含み得る。サブフレーム内のスロットの数は、スロット構成およびヌメロロジに基づく。スロット構成０の場合、異なるヌメロロジ０〜５は、サブフレーム当たり、それぞれ、１、２、４、８、１６、および３２個のスロットを許容する。スロット構成１の場合、異なるヌメロロジ０〜２は、サブフレーム当たり、それぞれ、２、４、および８つのスロットを許容する。サブキャリア間隔およびシンボル長／持続時間は、ヌメロロジの関数であり得る。サブキャリア間隔は、２＾μ＊１５ｋＫｚに等してよく、ここで、μはヌメロロジ０〜５である。シンボル長／持続時間は、サブキャリア間隔に逆相関する（inversely related）。サブキャリア間隔の１つの例は１５ｋＨｚであり、シンボル持続時間の１つの例は約６６．７μｓである。
【００２７】
[0044]  フレーム構造を表すために、リソースグリッドが使用され得る。各タイムスロットは、ある特定の数の連続するサブキャリアにわたって広がるリソースブロック（ＲＢ）（物理ＲＢ（ＰＲＢ）とも呼ばれる）を含み得る。図２には、１２個の連続するサブキャリアが例示されている。リソースグリッドは、複数のリソース要素（ＲＥ）に分割され得る。各ＲＥによって搬送されるビット数は、変調方式に依存し得る。
【００２８】
[0045]  ＲＥのうちのいくつかは、ＵＥ（Ｒとして示される）のための基準（パイロット）信号（ＲＳ）を搬送し得る。ＲＳは、ＵＥにおけるチャネル推定のためのチャネル状態情報基準信号（ＣＳＩ−ＲＳ）および復調ＲＳ（ＤＭ−ＲＳ）を含み得る。ＲＳはまた、ビーム測定ＲＳ（ＢＲＳ）、ビーム精緻化（refinement）ＲＳ（ＢＲＲＳ）、および位相追跡(phase tracking)ＲＳ（ＰＴ−ＲＳ）を含み得る。
【００２９】
[0046]  様々なチャネルが、フレームのＤＬサブフレーム内に含まれ得る。可能なチャネルの例は、物理ダウンリンク制御チャネル（ＰＤＣＣＨ）がどのシンボルを占有するかを示す制御フォーマットインジケータ（ＣＦＩ）を搬送する物理制御フォーマットインジケータチャネル（ＰＣＦＩＣＨ）、１つまたは複数の制御チャネル要素（ＣＣＥ）内でダウンリンク制御情報（ＤＣＩ）を搬送するＰＤＣＣＨであって、各ＣＣＥが９つのＲＥグループ（ＲＥＧ）を含み、各ＲＥＧがＯＦＤＭシンボルに４つの連続するＲＥを含むＰＤＣＣＨ、ＤＣＩも搬送するＵＥ固有拡張ＰＤＣＣＨ（ｅＰＤＣＣＨ）、物理アップリンク共有チャネル（ＰＵＳＣＨ）に基づいてハイブリッド自動再送要求（ＡＲＱ）（ＨＡＲＱ）肯定応答（ＡＣＫ）／否定ＡＣＫ（ＮＡＣＫ）フィードバックを示すＨＡＲＱインジケータ（ＨＩ）を搬送する物理ＨＡＲＱインジケータチャネル（ＰＨＩＣＨ）、およびプライマリ同期チャネル（ＰＳＣＨ）を含み得る。ＰＳＣＨは、サブフレーム／シンボルタイミングおよび物理レイヤアイデンティティを決定するためにＵＥ１０４によって使用されるプライマリ同期信号（ＰＳＳ）を搬送し得る。セカンダリ同期チャネル（ＳＳＣＨ）は、フレームに含まれ、例えば、物理レイヤセルアイデンティティグループ番号および無線フレームタイミングを決定するためにＵＥによって使用されるセカンダリ同期信号（ＳＳＳ）を搬送する。物理レイヤアイデンティティおよび物理レイヤセルアイデンティティグループ番号に基づいて、ＵＥは、物理セル識別子（ＰＣＩ）を決定することができる。ＰＣＩに基づいて、ＵＥは、前述のＤＬ−ＲＳのロケーションを決定することができる。マスタ情報ブロック（ＭＩＢ）を搬送する物理ブロードキャストチャネル（ＰＢＣＨ）は、同期信号（ＳＳ）／ＰＢＣＨブロックを形成するために、ＰＳＣＨおよびＳＳＣＨと共に論理的にグループ化され得る。ＭＩＢは、ＤＬシステム帯域幅中のＲＢの数、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）などのＰＢＣＨを通じて送信されないブロードキャストシステム情報、およびページングメッセージを搬送し得る。
【００３０】
[0047]  ＲＥのうちのいくつかは、基地局におけるチャネル推定のための復調基準信号（ＤＭ−ＲＳ）を搬送し得る。ＵＥは追加的に、サブフレームの最後のシンボル中でサウンディング基準信号（ＳＲＳ）を送信し得る。ＳＲＳは、コーム構造（comb structure）を有し得、ＵＥは、コームのうちの１つ上でＳＲＳを送信し得る。ＳＲＳは、ＵＬ上の周波数依存スケジューリングを可能にするためのチャネル品質推定のために基地局によって使用され得る。
【００３１】
[0048]  例示的なアップリンクチャネルは、ＵＥが初期システムアクセスを実行し、ＵＬ同期を達成することを可能にする物理ランダムアクセスチャネル（ＰＲＡＣＨ）と、スケジューリング要求、チャネル品質インジケータ（ＣＱＩ）、プリコーディングマトリクスインジケータ（ＰＭＩ）、ランクインジケータ（ＲＩ）、およびＨＡＲＱ ＡＣＫ／ＮＡＣＫフィードバックなどのアップリンク制御情報（ＵＣＩ）を搬送する物理アップリンク制御チャネル（ＰＵＣＣＨ）とを含む。ＰＵＳＣＨは、データを搬送し得、追加的に、バッファステータスレポート（ＢＳＲ）、電力ヘッドルームレポート（ＰＨＲ）、および／またはＵＣＩを搬送するために使用され得る。
【００３２】
[0049]  図３は、アクセスネットワークにおいてＵＥ３５０と通信状態にある基地局３１０のブロック図である。ＤＬでは、ＥＰＣ１６０からのＩＰパケットは、コントローラ／プロセッサ３７５に提供され得る。コントローラ／プロセッサ３７５は、レイヤ３およびレイヤ２の機能をインプリメントする。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢ）のブロードキャスティング、ＲＲＣ接続制御（例えば、ＲＲＣ接続ページング、ＲＲＣ接続確立、ＲＲＣ接続修正、およびＲＲＣ接続リリース）、無線アクセス技術（ＲＡＴ）間モビリティ、およびＵＥ測定レポーティングのための測定構成に関連付けられたＲＲＣレイヤの機能と、ヘッダ圧縮／解凍、セキュリティ（暗号化、暗号解読、インテグリティ保護、インテグリティ検証）、およびハンドオーバサポート機能に関連付けられたＰＤＣＰレイヤの機能と、上位レイヤパケットデータユニット（ＰＤＵ）の転送、ＡＲＱを通じた誤り訂正、ＲＬＣサービスデータユニット（ＳＤＵ）の連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、トランスポートブロック（ＴＢ）上へのＭＡＣ ＳＤＵの多重化、ＴＢからのＭＡＣ ＳＤＵの逆多重化、スケジューリング情報レポーティング、ＨＡＲＱを通じた誤り訂正、優先度処理（priority handling）、および論理チャネル優先順位付けに関連付けられたＭＡＣレイヤの機能と、を提供する。
【００３３】
[0050]  送信（ＴＸ）プロセッサ３１６および受信（ＲＸ）プロセッサ３７０は、様々な信号処理機能に関連付けられたレイヤ１の機能をインプリメントする。物理（ＰＨＹ）レイヤを含むレイヤ１は、トランスポートチャネル上での誤り検出、トランスポートチャネルの前方誤り訂正（ＦＥＣ）コーディング／復号、インタリービング、レートマッチング、物理チャネル上へのマッピング、物理チャネルの変調／復調、およびＭＩＭＯアンテナ処理を含み得る。ＴＸプロセッサ３１６は、様々な変調方式（例えば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることを扱う。コーディングおよび変調されたシンボルは、次いで、並列ストリームに分けられ得る。各ストリームは、次いで、ＯＦＤＭサブキャリアにマッピングされ、時間および／または周波数ドメインにおいて基準信号（例えば、パイロット）と多重化され、次いで、逆高速フーリエ変換（ＩＦＦＴ）を使用して共に組み合わされて、時間ドメインのＯＦＤＭシンボルストリームを搬送する物理チャネルを生成し得る。ＯＦＤＭストリームは、複数の空間ストリームを生成するために空間的にプリコーディングされる。チャネル推定器３７４からのチャネル推定値は、コーディングおよび変調方式を決定するため、ならびに空間処理のために使用され得る。チャネル推定値は、ＵＥ３５０によって送信されたチャネル状態フィードバックおよび／または基準信号から導出され得る。各空間ストリームは次いで、別個の送信機３１８ＴＸを介して異なるアンテナ３２０に提供され得る。各送信機３１８ＴＸは、送信用のそれぞれの空間ストリームを用いてＲＦキャリアを変調し得る。
【００３４】
[0051]  ＵＥ３５０において、各受信機３５４ＲＸは、そのそれぞれのアンテナ３５２を通じて信号を受信する。各受信機３５４ＲＸは、ＲＦキャリア上に変調された情報を復元し、受信（ＲＸ）プロセッサ３５６にその情報を提供する。ＴＸプロセッサ３６８およびＲＸプロセッサ３５６は、様々な信号処理機能に関連付けられたレイヤ１の機能をインプリメントする。ＲＸプロセッサ３５６は、ＵＥ３５０に宛てられた任意の空間ストリームを復元するために、情報に対して空間処理を実行し得る。複数の空間ストリームがＵＥ３５０に向けられている場合、それらは、ＲＸプロセッサ３５６によって単一のＯＦＤＭシンボルストリームに組み合わされ得る。ＲＸプロセッサ３５６は、次いで、高速フーリエ変換（ＦＦＴ）を使用して、時間ドメインから周波数ドメインにＯＦＤＭシンボルストリームを変換する。周波数領域信号は、ＯＦＤＭ信号のサブキャリアごとに別個のＯＦＤＭシンボルストリームを備える。各サブキャリア上のシンボル、および基準信号は、基地局３１０によって送信された最も可能性の高い信号コンステレーションポイントを決定することによって復元および復調される。これらの軟判定（soft decision）は、チャネル推定器３５８によって算出されるチャネル推定値に基づき得る。軟判定は次いで、物理チャネル上で基地局３１０によって当初送信されたデータおよび制御信号を復元するために、復号およびデインターリーブされる。データおよび制御信号は次いで、レイヤ３およびレイヤ２の機能をインプリメントするコントローラ／プロセッサ３５９に提供される。
【００３５】
[0052]  コントローラ／プロセッサ３５９は、プログラムコードおよびデータを記憶するメモリ３６０に関連付けられることができる。メモリ３６０は、コンピュータ可読媒体と呼ばれ得る。ＵＬでは、コントローラ／プロセッサ３５９は、ＥＰＣ１６０からのＩＰパケットを復元するために、トランスポートチャネルと論理チャネルとの間での逆多重化、パケットのリアセンブリ、暗号解読、ヘッダ解凍、および制御信号処理を提供する。コントローラ／プロセッサ３５９は、また、ＨＡＲＱ動作をサポートするために、ＡＣＫおよび／またはＮＡＣＫプロトコルを使用した誤り検出を担う。
【００３６】
[0053]  基地局３１０によるＤＬ送信に関連して説明された機能と同様に、コントローラ／プロセッサ３５９は、システム情報（例えば、ＭＩＢ、ＳＩＢ）獲得、ＲＲＣ接続、および測定レポーティングに関連付けられたＲＲＣレイヤの機能と、ヘッダ圧縮／解凍、およびセキュリティ（暗号化、暗号解読、インテグリティ保護、インテグリティ検証）に関連付けられたＰＤＣＰレイヤの機能と、上位レイヤＰＤＵの転送、ＡＲＱを通じた誤り訂正、ＲＬＣ ＳＤＵの連結、セグメント化、およびリアセンブリ、ＲＬＣデータＰＤＵの再セグメント化、およびＲＬＣデータＰＤＵの再順序付けに関連付けられたＲＬＣレイヤの機能と、論理チャネルとトランスポートチャネルとの間でのマッピング、ＴＢ上へのＭＡＣ ＳＤＵの多重化、ＴＢからのＭＡＣ ＳＤＵの逆多重化、スケジューリング情報レポーティング、ＨＡＲＱを通じた誤り訂正、優先度処理、および論理チャネル優先順位付けに関連付けられたＭＡＣレイヤの機能とを提供する。
【００３７】
[0054]  基地局３１０によって送信されたフィードバックまたは基準信号からチャネル推定器３５８によって導出されたチャネル推定値は、適切なコーディングおよび変調方式を選択することと、空間処理を容易にすることとを行うために、ＴＸプロセッサ３６８によって使用され得る。ＴＸプロセッサ３６８によって生成された空間ストリームは、別個の送信機３５４ＴＸを介して異なるアンテナ３５２に提供され得る。各送信機３５４ＴＸは、送信のためのそれぞれの空間ストリームでＲＦキャリアを変調し得る。
【００３８】
[0055]  ＵＬ送信は、ＵＥ３５０における受信機機能に関連して説明されたのと同様の様式で基地局３１０において処理される。各受信機３１８ＲＸは、そのそれぞれのアンテナ３２０を通じて信号を受信する。各受信機３１８ＲＸは、ＲＦキャリア上に変調された情報を復元し、ＲＸプロセッサ３７０にその情報を提供する。
【００３９】
[0056]  コントローラ／プロセッサ３７５は、プログラムコードおよびデータを記憶するメモリ３７６に関連付けられることができる。メモリ３７６は、コンピュータ可読媒体と呼ばれ得る。ＵＬでは、コントローラ／プロセッサ３７５は、ＵＥ３５０からのＩＰパケットを復元するために、トランスポートチャネルと論理チャネルとの間での逆多重化、パケットのリアセンブリ、暗号解読、ヘッダ解凍、制御信号処理を提供する。コントローラ／プロセッサ３７５からのＩＰパケットは、ＥＰＣ１６０に提供され得る。コントローラ／プロセッサ３７５は、また、ＨＡＲＱ動作をサポートするために、ＡＣＫおよび／またはＮＡＣＫプロトコルを使用した誤り検出を担う。
【００４０】
[0057]  いくつかの場合には、例えばＮＲ通信のための、ＵＥ能力を示すＵＥのためのメッセージサイズが、望ましくないほど大きいこともある。例えば、メッセージサイズは、パケットサイズ限界を超え得る。ＵＥは、オペレータおよび相手先商標製品製造業者（ＯＥＭs：original equipment manufactureds）からの要求された帯域組合せについてのＵＥ能力を表現する能力が制限され得る。新しい帯域組合せが連続的に定義され得、そのうちのいくつかは、以前に展開されたＵＥによって意図せず表現され得る。ＵＥ能力についての構成が、過剰報告され得、オペレータが要求しなかった構成およびネットワークベンダがサポートしない可能性がある構成をテストすることにつながる。ネットワークにおいて、ＵＥの能力を決定することは、徹底的なたすき掛けおよびマルチレベル再帰（exhaustive cross multiplications and multi-level recursion）を必要とし得る。
【００４１】
[0058]  本願は、ＵＥ能力の通信に関する上記課題を緩和または回避し得る解決法を提供する。本解決法は、ＵＥカテゴリのサイズと、ＵＥが能力を示すため、および／またはネットワークがＵＥの能力を決定するための必要とされる処理とを低減および管理し得る。
【００４２】
[0059]  帯域のクエリのためのメカニズムが提供され得、これはまた、ＵＥ能力に関する指示を、２つの指示、例えば、（１）ベースバンド能力、および（２）ＲＦ能力に分けることも伴い得る。
【００４３】
[0060]  ベースバンド能力は、ベースバンド処理能力（ＢＰＣ：Baseband Processing Capability）と呼ばれ得、以下を含み得る。  
１．帯域幅クラス情報およびＭＩＭＯ
２．可能性のあるヌメロロジおよびＲＦ帯域に依存しない他の能力
【００４４】
[0061]  ＲＦ能力は、例えば、以下を含むグループに分割され得る。  
１．帯域ごとの能力（例えば、ＭＩＭＯを含む）
２．帯域組合せごとの能力
【００４５】
[0062]  ＢＰＣおよびＲＦ能力というこれらの２つの指示に基づいてＵＥの能力を再構築するために、ネットワークは、例えば、帯域幅クラスを使用して、ＢＰＣおよびＲＦ能力をブリッジすることが必要とされ得る。
【００４６】
[0063]  ＮＲスタンドアロンの場合、所与のＢＰＣは、１）等しい帯域幅クラスと、２）等しいかまたはより高いＭＩＭＯレイヤ能力とを有する帯域の帯域組合せに適用可能であり得る。この適用可能性ルールはまた、シグナリングされなくてもよいフォールバック組合せにも適用され得る。「低減された」ＭＩＭＯ能力が、ＢＰＣにおいて提供されることができる。さらに、ＭＩＭＯ制限は、構成された帯域組合せに追加の帯域があるかどうかにかかわらず、帯域のサブセット上で示され得る。
【００４７】
[0064]  図４は、ＵＥによってネットワークに送られ得るＢＰＣ指示４０２およびＲＦ能力指示４０４の一例を例示する。図４はまた、帯域ごとのＲＢ能力４０８を例示するが、ＲＦ能力４０４は帯域組合せごとであり得る。図４は、ＲＦ能力指示４０４およびＢＰＣ指示４０２によって提供され得る異なる情報を例示する。図１はまた、ネットワークがＵＥ能力を決定するために２つの指示４０２、４０４間で導出される必要があるブリッジ４０６を例示する。したがって、ネットワークは、ＵＥ能力を導出するために、異なるタイプの指示、例えば４０２、４０４における情報を組み合わせることが必要とされる。組合せは、帯域幅クラスに基づき得る。したがって、ＢＰＣ指示４０２における帯域幅クラスＡは、同じく帯域幅クラスＡに対応する様々なＲＦ能力指示４０４に接続され得る。しかしながら、ＢＰＣ指示４０２は、レイヤおよびヌメロロジ情報を含まない。したがって、２つのタイプの指示によって提供される情報は、ネットワークおよび／またはＵＥ能力のテストによって必要とされるＵＥ能力情報と直接一致しない。
【００４８】
[0065]  いくつかの起こり得る課題がある。第１に、ＵＥは、その能力の表現を、オペレータおよびＯＥＭからの要求された帯域組合せに正確に限定することができない可能性がある。さらに、新しい帯域組合せが定義され続け得、そのうちのいくつかは、すでに展開されたＵＥによって意図せず表現されていることもある。
【００４９】
[0066]  ３つの例示的なキャリアアグリゲーション（ＣＡ）の組合せ構成は、以下を含み得る。  
ＣＡ組合せ１  
○  ｎ１；ＤＬ−ＢＣＬ＝ａ、＃ＤＬレイヤ＝２、ＵＬ−ＢＣＬ＝ａあり、いくつかの他のベースバンドパラメータ（ｏｂｐ０）あり  
○  ｎ２；ＤＬ−ＢＣＬ＝ｃ、＃ＤＬレイヤ＝４、アップリンクなし、いくつかの他のベースバンドパラメータ（ｏｂｐ１）あり  
ＣＡ組合せ２  
○  ｎ３；ＤＬ−ＢＣＬ＝ａ、＃ＤＬレイヤ＝４、ＵＬ−ＢＣＬ＝ａあり、他のベースバンドパラメータ（ｏｂｐ１）あり  
○  ｎ４、ＤＬ−ＢＣＬ＝ａ、＃ＤＬレイヤ＝２、アップリンクなし、他のベースバンドパラメータ（ｏｂｐ０）あり  
○  ｎ５、ＤＬ−ＢＣＬ＝ｃ、＃ＤＬレイヤ＝２、アップリンクなし、他のベースバンドパラメータ（ｏｂｐ０）あり  
帯域内ＣＡ  
○  ｎ５、ＤＬ−ＢＣＬ＝ｃ、＃ＤＬレイヤ＝４、ＵＬ−ＢＣＬ＝ａあり、他のベースバンドパラメータ（ｏｂｐ１）あり
【００５０】
[0067]  例示的なＣＡ組合せ構成では、ｎはＲＦ帯域を表し、例えば、ｎ１、ｎ２、ｎ３、ｎ４、ｎ５は、異なる帯域を表しており、ＢＣＬは帯域幅クラスを示す。ＤＬ−ＢＣＬはダウンリンクＢＣＬに対応し、ＵＬ−ＢＣＬはアップリンクＢＣＬに対応し、＃ＤＬレイヤはダウンリンクレイヤの数に対応する。したがって、ＣＡ組合せ１は、帯域ｎ１および帯域ｎ２を含み、その各々は、さらなる能力を有する。
【００５１】
[0068]  これらの例では、図４によるＢＰＣ／ＲＦ分割は、表１におけるＢＰＣ情報、ならびに帯域ごとの表２におけるＲＦ情報、最大クラス／レイヤのダウンリンクサポート、および帯域組合せごとの表３におけるＲＦ情報が、シグナリングされることを必要とすることになる。表１の例に例示されるように、各ベースバンド組合せエントリは、ＤＬおよびＵＬ ＭＩＭＯを有する帯域ごとのベースバンドパラメータのリストである。ＢＰＣ情報は、追加の情報またはエントリ、例えばｏｂｐｘも含み得、ここでｘは特定のｏｂｐの参照である。エントリは、ヌメロロジ、詳細な帯域幅情報、および／または構成されたキャリアの数に依存する他のベースバンド能力をさらに備え得る。そのような能力は、（１）ＵＥごと、（２）ＲＦ帯域ごと、（３）帯域ごと、帯域組合せごと、（４）ｃｃごと、帯域ごと、帯域組合せごとであり得る。
【００５２】
【表１】
2021514139.tif 000003
【００５３】
【表２】
2021514139.tif 000004
【００５４】
【表３】
2021514139.tif 000005
【００５５】
[0069]  ＲＦ能力とベースバンド能力との組合せの結果として、元の３つの構成に加えて、以下の２つの追加のＣＡ構成がサポートされる必要がある。  
・  新しい構成１：  
○  ｎ１；ＤＬ−ＢＣＬ＝ａ；＃ＤＬレイヤ＝２；ＵＬ−ＢＣＬ＝ａ；ｏｂｐ１あり  
○  ｎ２；ＤＬ−ＢＣＬ＝ｃ；＃ＤＬレイヤ＝２；アップリンクなし、ｏｂｐ０あり  
・  新しい構成２：  
○  Ｎ３；ＤＬ−ＢＣＬ＝ａ；＃ＤＬレイヤ＝２；ＵＬ−ＢＣＬ＝ａ；ｏｂｐ０あり  
○  Ｎ５；ＤＬ−ＢＣＬ＝ｃ；＃ＤＬレイヤ＝４；アップリンクなし、ｏｂｐ１あり
【００５６】
[0070]  第１の新しい構成の場合、例示的な構成のためにＯＥＭ／オペレータによって必要とされたものと比較した差は、ｎ１上のｏｂｐ１およびｎ２上のｏｂｐ０のサポートである。これは、例で要求された構成の反対である。差は、ヌメロロジスイッチ、帯域幅組合せ反転、または他の定義されたベースバンド組合せの差を伴い得る。第２の新しい構成の場合、例示的な構成のためにＯＥＭ／オペレータによって必要とされたものと比較した差は、ｎ５上の４つのレイヤとｏｂｐ１のサポートである。
【００５７】
[0071]  例えば、そのようなＵＥ能力シグナリングを適用するとき、ある割合の既存の構成が過剰報告され得る。したがって、テストは、オペレータが要求しなかった構成およびネットワークベンダがサポートし得ない構成について実行され得る。加えて、そのようなシグナリングは、新しい構成の大部分が、サポート、検証、およびテストされる必要があることにつながり得る。
【００５８】
[0072]  図５は、ＵＥ能力指示に対応するＵＥ能力の範囲のグラフィカル表現５００を例示する。図５は、要求および定義された帯域組合せの異なる範囲５０２、５０４を例示する。例えば、これらは、オペレータが要求および定義した帯域組合せであり得る。例えば、異なるヌメロロジおよびレイヤを有するが、場合によっては同じ帯域幅クラスを有するマーケットをターゲットにして、新しい帯域組合せサブセットが定義され得る。能力５０６は、テストなしで自律的であり得る。例えば、図４の例におけるＲＦ指示およびＢＰＣ指示のシグナリングによって表現されたＵＥ能力５０８は、要求／定義された帯域組合せ５０２、５０４とは異なる範囲を有する。例えば、ＲＦ能力指示およびＢＰＣ指示に基づいてネットワークによって決定されたＰＢＣ／ＲＦブリッジ５１０は、任意のオペレータが要求または定義した帯域組合せ以外の帯域組合せに対応する可能性がある。
【００５９】
[0073]  図６は、新しい要求されていない構成（０とラベル付け）および、オーバーディメンションの（over dimensioned）構成（１とラベル付け）の存在を視覚的に示す、部分ヒートマップ（heatmap）６００を例示する。２とラベル付けされた四角は、正確なＵＥ能力を表し、ここで「正確」とは、ＲＦおよびベースバンド能力をマッチさせることによって再構築される能力が、ネットワークに伝達されることが意図された所望の能力を正しく再構築したであろうことを意味する。他の能力は、ネットワークに伝達されることが意図されたもの以外であり得る。垂直方向は、ＲＦ能力リストにおける異なるＲＦ能力に対応し得、水平方向は、ＢＰＣリストにおける異なるＢＰＣに対応し得る。示されたセルは、マッチする帯域幅クラスに基づくＲＦ能力とＢＰＣとの交差部分に対応する。図６は、０とラベル付けされた、現れたマッチの例を例示し、それらは意図されなかったものである。ＲＦ能力部分は正しく表現され得る。しかしながら、ＢＰＣ部分は正しく表現されない可能性がある。したがって、意図されたよりも多くの構成をテストおよび／またはサポートすることが必要になり得る。ＲＦ能力およびＢＰＣを報告する様式により意図されない構成をテストまたはサポートする必要性は、相当な望ましくない負担を引き起こし得る。
【００６０】
[0074]  上記の課題に対処するために、ＵＥによるＵＥ能力の報告に変更が行われ得る。変更は、例えば、ＲＡＮ４またはＲＡＮ２に適用可能であり得る。１つの例では、増加した数のＲＦ帯域組合せが定義され、調査され得る。しかしながら、そのような定義および調査は実行不可能であり得る。より多くの帯域が定義されると、ある特定の組合せの任意のヌメロロジの導入は、帯域幅クラスの組合せにマッチするすべての他の組合せについての相当な量の新しい調査を必要とすることになる。第２の例では、仕様がリリース依存になり得る。しかしながら、リリースから独立した仕様を維持することが望ましいこともある。リリース依存は、ネットワークがＵＥの実際の能力を決定することを困難にし得る。リリース依存は、より古いＵＥ能力を理解するために、ネットワークが履歴仕様（historical specifications）を参照することを必要とし得る。これは、追加の要件が定義される能力を制限し得る。ＵＥ能力は、ＵＥ製造時の定義に結び付けられ得るが、これは、ＵＥおよびネットワークの製造および動作における非効率性につながり得る。例えば、これは、いずれの顧客によっても必要とされない構成についての不要なＵＥテストにつながり得る。
【００６１】
[0075]  また、組み合わされたＬＴＥ／ＮＲ能力のために同じエクササイズが実行されることを必要とし得る、Ｅ−ＵＴＲＡ ＮＲデュアル接続性（ＥＮ−ＤＣ）に対するリスクも追加される。ＢＰＣおよびＲＦ能力指示についての同じ分割が、マルチＲＡＴデュアル接続性（ＭＲ−ＤＣ）ＵＥ能力の一部としてＬＴＥのために行われ得る。ＬＴＥ ＢＰＣとＮＲ ＢＰＣとの間の依存性は、ＵＥ能力の一部としてシグナリングされ、異なるＲＡＴのための基地局、例えばｅＮＢおよびｇＮＢによって理解され得る。ＥＮ−ＤＣベースバンド能力の定義は、ＬＴＥについて上述された同じ報告チャレンジを引き起こし得る。そのようなＵＥ能力の報告は、ＩｏＴが存在しないときでも、ＥＮ−ＤＣをサポートする帯域について、追加のテストの量をほぼ２倍にし得る。
【００６２】
[0076]  ネットワークも影響を受け得る。例えば、ＵＥの能力を決定するために、ネットワークは、ベースバンドおよびＲＦ能力の徹底的なたすき掛けを実行することが必要とされ得、場合によって帯域ごとのＭＩＭＯおよびレイヤ制限によって、および場合によってリリース日によっても制限される。すべてのＵＥ能力を把握するために、ネットワークは、非常に多数の組合せを評価する必要があり得、これは、以下の程度で増える。  
〜Ｃｓｔ ＊ ＮBPC ＊ ＮRF ＊ ＦＡＣＴ（キャリアの数） ＊ ［（Ｌ２制約の平均数） ＾ＮCarriers ＊ （ヌメロロジ制約の平均数）］ ＾ＮCarriers
【００６３】
[0077]  この計算では、Ｃｓｔはスケーリング定数を提供し、ＮBPCはＢＰＣ能力の数に対応し、ＮRFはＲＦ能力の数に対応し、ＮCarriersはキャリアの数に対応する。
【００６４】
[0078]  そのような組合せの評価は、全リストのためのマルチレベル再帰（またはループのために多数）を必要とし得、望ましくない組合せの数を最小限に抑えるために複雑な最適化を必要とし得る。ネットワークは、ＵＥのタイプごと、エリアごと、要求された帯域のセットごとに、結果を一度保存し得るが、この解決法は、依然として、そのようなデータベースの追加の展開および絶え間ない維持を必要とし得る。表４は、反復数が増え得る様式を示す。
【００６５】
【表４】
2021514139.tif 000006
【００６６】
[0079]  したがって、図４に関連して説明されたように、ネットワークが能力構造を管理し、理解するための追加の作業がある。
【００６７】
[0080]  ＵＥ能力シグナリングが、ネットワークオペレータによって要求されていない構成のためにＵＥが構築およびテストされることを引き起こすのを回避するために、およびＵＥ能力情報のサイズを改善するために、以下の解決法のうちの少なくとも１つが適用され得る。
【００６８】
[0081]  第１の可能性のある解決法として、特定のバージョンの仕様に依存することなく、ＵＥが、ネットワークオペレータによって展開されるように意図された正確な能力をシグナリングすることを可能にするシグナリングが定義され得る。この例は、ＢＣＳの定義にかかわらず適用され得る。
【００６９】
[0082]  第２の可能性のある解決法として、ＢＣＳ（帯域幅組合せセット（Bandwidth Combination Set））が、ＲＦ帯域組合せごとにＮＲのために使用され得、帯域幅クラス定義またはＢＣＳ定義に追加されるレイヤおよびヌメロロジ考慮事項を含み得る。
【００７０】
[0083]  一例として、ＵＥは、隣接するコンポーネントキャリア（ＣＣ）ごと、仮想帯域ごと、および／または仮想帯域組合せごとに、ＵＥ能力を報告し得る。ＲＦ能力は、帯域ごと帯域組合せごと（per band per band combination）に示され得、報告されたＵＥ能力を参照し得る。
【００７１】
[0084]  三つ組（帯域幅、ヌメロロジ、レイヤの数）は、ＵＥのエンベロープ（envelop）を定義する際に重要である。したがって、ＵＥシグナリングは、ＲＦ帯域ごとＲＦ帯域組合せごとのサポートされる帯域幅、レイヤ、およびヌメロロジを示し得る。別の例として、レイヤ、ヌメロロジ、および他の可能性のあるパラメータについての情報が帯域幅クラス定義に追加され得、帯域幅組合せセット（ＢＣＳ）が、ＲＦ帯域組合せごとに報告され得る。さらに別の例として、ＢＣＳは、ＲＦ帯域組合せごとに報告され得、レイヤ、ヌメロロジ、および他の可能性のあるパラメータについての情報が、ＢＣＳ定義に追加され得る。
【００７２】
[0085]  ＵＥ明示的シグナリング
【００７３】
[0086]  明示的なＵＥ能力シグナリングについての例では、ＵＥは、「帯域内の隣接キャリアについてのベースバンド能力」を定義し得、帯域ごと、帯域組合せごとに、ＲＦ能力におけるこれらの定義を参照し得る。ＵＥは、変調およびサブキャリア間隔に関連付けられた「帯域幅のリスト」（ｂｗｉ）をリストにし得る。次いで、ＵＥは、ＲＦ能力からこれらのビルディングブロック（building blocks）を参照することができる。したがって、ＵＥは、２つの指示、すなわち、ＲＦ能力指示およびＢＰＣ指示をシグナリングし得る。ＢＰＣ指示は、ヌメロロジ、レイヤ、および帯域幅を示す少なくとも１つのベースバンドを含み得る。各ベースバンドは、対応するベースバンドＩＤを有し得る。次いで、ＵＥは、ＢＰＣにおいてＵＥによって定義されたようなベースバンドＩＤを使用して特定のベースバンドＲＦ組合せについてのＲＦサポートを示し得る。
【００７４】
[0087]  例えば、各ＲＦ帯域組合せについて、ＲＦ能力シグナリングは、帯域組合せごとにシグナリングされ得る。各ＲＦ帯域組合せについて、ＲＦ能力シグナリングは、ダウンリンクベースバンド構成ＩＤのリスト、帯域ごとおよびダウンリンク帯域ごとの組合せ、および／または帯域ごとおよびアップリンク帯域ごとの組合せを示し得る。帯域ごとおよびダウンリンク帯域ごとの組合せは、帯域数、サポートされるアップリンク帯域組合せのリストへの参照、および／またはＢＣＳを示し得る。帯域ごと、ダウンリンク帯域ごとの組合せは、帯域内不連続組合せを含み得る。帯域ごとベースおよびアップリンク帯域組合せごとベースで、ＲＦ能力シグナリングは、アップリンクベースバンド構成ＩＤのリストならびに他の情報を示し得る。ＲＦ能力シグナリングは、ＲＦ帯域ごとの様式、または帯域のグループの様式で、ダウンリンク帯域数（単数または複数）、最大アグリゲートダウンリンク帯域幅、および／またはダウンリンク上のレイヤの最大数を示し得る。ＲＦ能力シグナリングは、ＲＦ帯域ごとの様式または帯域のグループの様式で、アップリンク帯域数（単数または複数）、最大アグリゲートアップリンク帯域幅、および／またはアップリンク上のレイヤの最大数を示し得る。
【００７５】
[0088]  したがって、各ＲＦ帯域組合せについて、ＲＦ能力シグナリングは、以下を含み得る。  
○  ＲＦ帯域組合せごと
◆  ＤＬベースバンド構成ＩＤのリスト
◆  帯域内不連続を含む、帯域ごとＤＬ帯域ごとの組合せ：
・  帯域数
・  サポートされるアップリンク帯域組合せのリストへの参照
・  ＢＣＳ
◆  帯域ごとＵＬ帯域ごとの組合せ：
・  ＵＬベースバンド構成ＩＤのリスト
・  …
○  ＲＦ帯域ごとまたは帯域のグループ（許容されたエントリを繰り返す）：
◆  ダウンリンク帯域数（単数または複数）
◆  最大アグリゲートＤＬ帯域幅
◆  ダウンリンク上のレイヤの最大数
○  ＲＦ帯域ごとまたは帯域のグループ（許容されたエントリを繰り返す）：
◆  アップリンク帯域数（単数または複数）
◆  最大アグリゲートＵＬ帯域幅
◆  アップリンク上のレイヤの最大数
・  （仮想）帯域（ＲＦについて参照される）の場合
◆  ＤＬベースバンド構成ＩＤ（暗黙的または明示的な番号付けを含み得る）
◆  スケーリング係数
◆  仮想帯域ごと
・  キャリアごと仮想帯域ごと（Ｂ）
○  ヌメロロジ
○  ＤＬ−帯域幅
○  レイヤの最大数
○  最大変調次数
○  スケーリング係数？
○  ＵＬベースバンド構成ＩＤ
◆  帯域幅、レイヤの最大数、…
・  …
【００７６】
[0089]  仮想帯域は、表現されたＲＦ能力とベースバンド能力の両方を有するベースバンドに対応し得る。異なるＲＦ帯域が、仮想帯域能力に関連付けられることができる。同様に、仮想帯域組合せは、表現されたＲＦ能力とベースバンド能力の両方を有する帯域組合せに対応し得、仮想ＣＣは、表現されたＲＦ能力およびベースバンド能力を有するＣＣに対応し得る。
【００７７】
[0090]  図１２は、これらの態様に基づくＵＥ能力シグナリング１２０２の一例を例示する。ＵＥ能力シグナリングは、ＲＦ能力シグナリング１２０６および他の帯域幅パラメータシグナリング１２０４を含み得る。他の帯域幅パラメータシグナリング１２０４は、少なくともある特定の周波数にわたって共通である他のパラメータを示し得る。これらのパラメータは、他のベースバンドパラメータ（ｏｂｐ）と呼ばれ得る。
【００７８】
[0091]  ＵＥ能力は、異なるタイプにグループ化され得る。異なるタイプのＵＥ能力は、異なる様式で、例えば、ＵＥごとベース；帯域ごとベース；帯域組合せごとベース；帯域ごと、帯域組合せごとベース；またはＣＣごと、帯域ごと、帯域組合せごとベース；のいずれかを使用して報告され得る。
【００７９】
[0092]  この解決法は、図４に関連して説明されたシグナリングにサイズが匹敵し得る。しかしながら、ＲＦ能力指示４０４およびＢＰＣ４０２の両方に帯域幅クラスを有する代わりに、図１２にあるようなｏｂｐのインデックスまたは図７にあるようなＢＰＣが、ＲＦ能力指示において使用され得る。これは、ＵＥが、サポートする能力を正確に表現することを可能にし、ネットワークが、複数のテーブルを相互参照する必要なしに、どの構成が許容されるかを容易に決定することを可能にする。
【００８０】
[0093]  帯域幅クラスに含まれるベースバンド
【００８１】
[0094]  異なるコンポーネントキャリアを組み合わせるときにベースバンド制限を捕捉する（capture）ために、例えば、ＮＲ ＣＡ組合せテーブルにおいて、追加の粒度が必要とされ得る。別の態様では、ベースバンドクラスが、例えばネットワークによって、ベースバンドと併せて定義され得る。複数の能力が共にグループ化され得る。次いで、ＵＥは、ＵＥ能力シグナリングにおける以前に定義されたベースバンドを単に参照し得る。これは、ＵＥによって必要とされるシグナリングの量を低減し得る。図７は、例えば、規格または他の方法で定義され得る例示的なベースバンド（Ａ、Ｂ、Ｃ）のリストを例示する。各ベースバンドは、帯域幅、ヌメロロジ、およびレイヤを有する。ＵＥは、ＢＰＣおよびＲＦ能力指示の両方を含む、ＵＥ能力をシグナリングし得る。図７は、ＵＥが、ＲＦ能力７０６の指示（単数または複数）およびＢＰＣ７０４の指示（単数または複数）を含むＵＥ能力７０２をシグナリングする一例を例示する。ＢＰＣは、例えば、定義された帯域幅クラス７０８を参照する。図７に例示されるように、ＢＰＣ能力は、ｏｂｐを参照し得る。ｏｂｐは、帯域幅クラス７０８を参照することによって示される、帯域幅、レイヤ、およびヌメロロジ情報とは異なるパラメータに対応し得る。
【００８２】
[0095]  図１３は、帯域幅組合せセット（ＢＣＳ）がＲＦ帯域組合せごとにＮＲのために指定され得る一例を例示する。さらに、レイヤ、ヌメロロジ、および場合によって他のパラメータが、帯域幅クラス定義に追加され得る。図１３は、ＵＥ能力１３０６が帯域幅クラスのセット１３０４からの帯域幅クラスを参照して示され得る、ＵＥ能力シグナリング１３０２の一例を例示する。１３０４において例示されるように、帯域幅クラスは、帯域幅クラスについてのレイヤ、ヌメロロジ、および他のパラメータを含み得る。
【００８３】
[0096]  ＢＣＳに含まれるベースバンド
【００８４】
[0097]  別の例では、帯域幅クラスはベースバンドに基づかない可能性があり、各ＣＡ構成が、例えば図１４の例に例示されるように、サポートされることが予想されるレイヤおよびヌメロロジの点からＢＣＳを定義し得る。ＢＣＳは、ＲＦ帯域組合せごとに指定され得る。レイヤ、ヌメロロジ、および場合によって他のパラメータが、ＢＣＳ定義１４０６に追加され得る。図１４は、そのようなＵＥ能力シグナリング１４０２の一例を例示する。１４０４において例示されるように、レイヤ、ヌメロロジ、および他のパラメータが、帯域幅組合せセット定義１４０６に追加され得る。図１４は、ＣＡ構成の点から定義されたＢＣＳの１つの例のみを例示する。表５〜表７は、例えば図１４において使用され得る、ＢＣＳを使用する定義されたベースバンドのための例示的なフォーマットを例示する。図８は、ベースバンドがＢＣＳ８０２を使用して定義され得る、図１４と同様の別の例を例示する。
【００８５】
【表５】
2021514139.tif 000007
【００８６】
【表６】
2021514139.tif 000008
【００８７】
【表７】
2021514139.tif 000009
【００８８】
[0098]  このように、ＵＥ能力シグナリングは、ＲＦ帯域またはＲＦ帯域のグループにわたって共通である他のパラメータの指示を含み得る。他のパラメータは、帯域／帯域構成にわたって共通であり得る能力コンテナを作成する。能力ユニットは、帯域レベルまたは帯域組合せレベルにあり得る。図１２、図１３、および図１４は、帯域組合せレベルにおける能力を示すｏｂｐを例示する。しかしながら、帯域組合せ自体は、帯域レベルにおける参照コンテナの別のセットを指し示すことができる。これは、帯域が帯域組合せの複数のインスタンスにおいて発生するとき、その帯域の能力の反復を回避するのに有用であり得る。実際に、ある特定の帯域におけるＵＥの能力は、その帯域が第２の帯域との帯域組合せで使用されるか、第３の帯域との帯域組合せで使用されるかにかかわらず、同じままであり得る。したがって、帯域レベルでパラメータを定義し、ＲＦ帯域から帯域組合せパラメータへの、次に帯域組合せパラメータから帯域パラメータへの２つのレベルのポインタを有することによって、冗長性が除去されることができる。
【００８９】
[0099]  明示的シグナリングおよび定義された帯域幅クラスのハイブリッド
【００９０】
[00100]  可能性のある解決法は、明示的シグナリングおよび定義された帯域幅クラスの両方の態様を組み込み得る。このハイブリッドの解決法では、ＵＥは、「隣接キャリアについてのベースバンド能力」を定義し得、帯域ごと、帯域組合せごとベースで、ＲＦ能力におけるこれらの能力を参照し得る。
【００９１】
[00101]  ＵＥは、変調およびサブキャリア間隔に関連付けられた帯域幅のリストをリストにし得る。次いで、ＵＥは、ＲＦ能力からこれらのビルディングブロックを参照することができる。
【００９２】
[00102]  図９は、ワイヤレス通信の方法のフローチャート９００である。本方法は、ＵＥ（例えば、１０４、３５０）がＵＥ能力を基地局１０５０（例えば、基地局１０２、１８０、３１０）と通信することによって実行され得る。通信は、例えば、５Ｇ／ＮＲに基づき得る。９０２において、ＵＥは、ＵＥ能力（単数または複数）を決定し、９０４において、ＵＥは、ＵＥ能力情報を基地局にシグナリングする。本方法は、不要または曖昧な能力情報の報告を低減する、より効率的かつ正確な様式で、ＵＥがＵＥ能力情報をシグナリングすることを可能にする。
【００９３】
[00103]  １つの例では、ＵＥは、９０６において、少なくとも１つのベースバンドの指示を備えるＢＰＣ情報を基地局にシグナリングし、９０８において、ＢＰＣにおいて示された少なくとも１つのベースバンドに関して無線周波数能力情報を基地局にシグナリングする。
【００９４】
[00104]  ベースバンドは、ＵＥによって決定および定義され得る。したがって、ＢＰＣは、ＵＥからのベースバンドの明示的シグナリングを含み得る。この例では、ＢＰＣは、ＵＥによって明示的にシグナリングされた少なくとも１つのベースバンドを備え得、ここにおいて、各ベースバンドは、ヌメロロジ、レイヤ、および帯域幅のうちの一部または全部を組み合わせたものを示す。他のパラメータもベースバンドにおいて示され得る。ＲＦ能力情報は、少なくとも１つのベースバンドに含まれるヌメロロジ、レイヤ、および／または帯域幅が特定のＲＦ組合せについてサポートされるかどうかを示し得る。各ベースバンドは、対応するベースバンド識別子（ＩＤ）と共にシグナリングされ得、ここにおいて、ＲＦ能力情報は、対応するベースバンドＩＤを有する特定のＲＦ帯域についてのサポートを示す。ＵＥ能力情報は、帯域幅クラスの指示なしでシグナリングされ得る。
【００９５】
[00105]  別の例では、ベースバンドは、図７および図８に関連して説明されたように、例えば規格またはネットワークによって、以前に定義され得る。したがって、複数のベースバンドが定義され得、各ベースバンドは、ヌメロロジ、レイヤ、および帯域幅クラスのうちの少なくとも１つを備える組合せを示す。他のパラメータもまた、ベースバンドにおいて示され得る。ＲＦ能力情報は、定義された複数のベースバンドクラスのうちの１つについてのＲＦ能力を示し得る。定義されたベースバンドの各々は、帯域幅組合せセット識別子、例えば８０２を備え、ここにおいて、ＲＦ能力情報は、帯域幅組合せセット識別子に関して、定義された複数のベースバンドのうちの１つについてのＲＦ能力を示す。
【００９６】
[00106]  別の例では、ＵＥ能力シグナリングは、以前に定義されたベースバンド情報の一部分およびベースバンドに関するＵＥによる明示的シグナリングの組合せに依拠し得る。
【００９７】
[00107]  別の例では、ＵＥは、９１０において、少なくとも１つのベースバンドクラスの指示を備えるＢＰＣ情報を基地局にシグナリングする。９１２において、ＵＥは、少なくとも１つのベースバンドクラスに関してＲＦ能力情報を基地局にシグナリングし、ここにおいて、ベースバンドクラスは、ヌメロロジ、レイヤ、および帯域幅のうちの一部または全部を組み合わせたものを示す。他のパラメータも、ベースバンドクラスにおいて示され得る。
【００９８】
[00108]  さらに別の例では、ＵＥは、９１４において、少なくとも１つのベースバンドクラスの指示およびベースバンドクラスセットを備えるＢＰＣ情報を基地局にシグナリングする。９１６において、ＵＥは、少なくとも１つのベースバンドクラスに関してＲＦ能力情報を基地局にシグナリングし、ここにおいて、ベースバンドクラスセットは、ヌメロロジ、レイヤ、および帯域幅のうちの一部または全部を組み合わせたものを示す。他のパラメータも、ベースバンドクラスセットにおいて示され得る。
【００９９】
[00109]  図１５は、ワイヤレス通信の方法のフローチャート１５００である。本方法は、ＵＥ能力を基地局１０５０（例えば、基地局１０２、１８０、３１０、１７０２、１７０２’）と通信するＵＥ（例えば、１０４、３５０、装置１００２、１００２’）によって実行され得る。通信は、５Ｇ／ＮＲに基づき得る。本方法は、不要な能力情報の報告を低減する、より効率的かつ正確な様式で、ＵＥがＵＥ能力情報をシグナリングすることを可能にする。
【０１００】
[00110]  １５０２において、ＵＥは、ＵＥ能力（単数または複数）を決定する。ＵＥ能力は、図４〜図８および図１２〜図１４に関連して説明された能力のいずれかを備え得る。
【０１０１】
[00111]  １５０４において、ＵＥは、ＵＥ能力情報を基地局にシグナリングする。様々な例が、例えば、ＵＥがＵＥ能力情報を基地局にシグナリングし得る様式に関する図７〜図８および図１２〜図１４に関連して提供されている。
【０１０２】
[00112]  １５０６において例示されるように、ＵＥは、図１２〜図１４のいずれかに関連して説明されたように、１５０６において、他のベースバンドパラメータ（ｏｂｐ）をシグナリングし得る。ｏｂｐは、ＵＥによってサポートされる特徴（単数または複数）または特徴のセットを示す。そのような特徴は、リストにおいて示され得る。ｏｂｐという用語は一例にすぎない。これらのパラメータを説明するために他の用語が使用され得る。例えば、ｏｂｐは、特徴セットと呼ばれ得る。図１２は、１２０４において、例えば、Ｏｂｐ１、Ｏｂｐ２、Ｏｂｐ３．．．といったｏｂｐ識別子のリストを含む、例示的なｏｂｐリストを例示する。各ｏｂｐ識別子は、パラメータまたは特徴のセットに対応し得る。ｏｂｐ（単数または複数）についてのサポートは、例えば、対応するｏｂｐ ＩＤ（単数または複数）と呼ばれ得るＩＤを使用して、帯域ごとに示され得る。ｏｂｐ（単数または複数）についてのサポートはＣＣごとに示され得る。そのようなＣＣパラメータについてのサポートは、ＩＤ、例えば、対応するｏｂｐ ＩＤ（単数または複数）を使用して示され得る。別の例では、ｏｂｐ（単数または複数）についてのサポートは、例えばパラメータに依存して、帯域ごとおよびＣＣごとに示され得る。したがって、ある特定のｏｂｐパラメータについてのサポートは、帯域ごと、ＣＣごとベースで示され得、他のパラメータについてのサポートは、異なるベースを使用して示され得る。ｏｂｐパラメータについてのサポートは、対応するｏｂｐ ＩＤ（単数または複数）を使用して、帯域ごと、ＣＣごとのベースで示され得る。
【０１０３】
[00113]  次いで、１５０８において、ＵＥは、少なくとも１つの帯域組合せに関して、および少なくとも１つのｏｂｐパラメータに関して、ＲＦ能力情報を基地局にシグナリングし得る。ｏｂｐ（単数または複数）についてのサポートは、ｏｂｐ ＩＤを使用してＲＦ能力情報において示され得る。図１２は、ＲＦ能力情報１２０６が、ｏｂｐリスト１２０４からのｏｂｐ ＩＤを使用して示されることを例示する。図１２は、帯域組合せについてのＲＦ能力情報１２０６の例を例示する。他の用語が「ＲＦ能力情報」について使用され得る。例えば、ＲＦ能力情報が帯域組合せに関して示されるので、ＲＦ能力情報は、帯域組合せ情報として説明され得る。定義された各帯域組合せは、帯域幅組合せセット識別子を備え得、ここにおいて、ＲＦ能力情報は、帯域幅組合せセット識別子に関して、定義された複数のベースバンドのうちの１つについてのＲＦ能力を示す。ｏｂｐ（単数または複数）は、複数のＲＦ帯域にわたって共通であり得る。各帯域組合せは、ヌメロロジ、レイヤ、または帯域幅のうちの少なくとも１つを備える組合せを示し得る。ＲＦ能力情報は、含まれるヌメロロジ、レイヤ、および帯域幅が特定の帯域組合せについてサポートされるかどうかを示し得る。ｏｂｐ（単数または複数）は、帯域幅、レイヤ、およびヌメロロジ以外のパラメータを示し得る。ｏｂｐとして示され得るそのような能力／パラメータの例は、とりわけ、ＥＵＴＲＡ能力情報、ＮＲ能力情報、帯域内周波数分離情報、スケーリング係数情報、クロスキャリアスケジューリング情報、ＳＳＢなしのＳＣｅｌｌについてのサポート、制御チャネルモニタリング機会、ＵＥ固有のＵＬ−ＤＬ割当て情報、ＣＡのための探索空間共有情報、ＱＣＬのための持続時間、ＰＤＳＣＨまたはＰＵＳＣＨ処理情報、ＤＭＲＳ情報、サブキャリア間隔情報、サポートされるＤＬ帯域幅、サポートされるＵＬ帯域幅、チャネル帯域幅情報、ＰＤＳＣＨまたはＰＵＳＣＨについてのＭＩＭＯレイヤ情報、変調次数情報、ＳＲＳリソース情報、ＳＵＬ情報、同時送信情報等を含む。
【０１０４】
[00114]  １５１０において例示されるように、ＵＥは、例えば図１４に関連して説明されたように、帯域幅組合せセット（ＢＣＳ）に関してＲＦ能力情報を基地局にシグナリングし得る。ＢＣＳは、ヌメロロジ、帯域幅、および／またはレイヤの組合せに対応し得る。帯域幅組合せセットは、ヌメロロジ、帯域幅、および／またはレイヤのうちの少なくとも２つを組み合わせたものに対応し得る。帯域幅組合せセットは、ヌメロロジ、帯域幅、およびレイヤの組合せに対応し得る。
【０１０５】
[00115]  １５１２において例示されるように、ＵＥは、例えば図１３または図１４に関連して説明されたように、帯域幅クラスに関してＲＦ能力情報を基地局にシグナリングし得る。帯域幅クラスは、ヌメロロジ、帯域幅、および／またはレイヤの組合せに対応し得る。帯域幅クラスは、ヌメロロジ、帯域幅、および／またはレイヤのうちの少なくとも２つを組み合わせたものに対応し得る。帯域幅クラスは、ヌメロロジ、帯域幅、およびレイヤの組合せに対応し得る。他の例では、ＵＥは、帯域幅クラスの指示を有さないＵＥ能力情報をシグナリングし得る。
【０１０６】
[00116]  図１０は、例示的な装置１００２における異なる手段／コンポーネント間のデータフローを例示する概念的なデータフロー図１０００である。本装置は、ＵＥ能力を基地局１０５０（例えば基地局１０２、１８０、３１０）と通信するＵＥ（例えば１０４、３５０）であり得る。通信は、５Ｇ／ＮＲに基づき得る。本装置は、基地局からのダウンリンク通信を受信する受信コンポーネント１００４と、ＵＥ能力情報を含むアップリンク通信を基地局に送信する送信コンポーネント１００６とを含む。本装置は、例えば９０２または１５０２に関連して説明されたように、ＵＥ能力（単数または複数）を決定するように構成されたＵＥ能力コンポーネント１００８を含み得る。本装置は、例えば９０４または１５０４に関連して説明されたように、ＵＥ能力情報を基地局にシグナリングするように構成されたシグナリングコンポーネント１０１０を含み得る。シグナリングは、図７、図８、および図９に関連して説明されたように、少なくとも１つのベースバンドの指示を備える基地局へのＢＰＣ情報と、ＢＰＣにおいて示された少なくとも１つのベースバンドに関して、基地局への無線周波数能力情報とを含み得る。ＵＥ能力情報は、基地局に明示的にシグナリングされるベースバンドおよび／またはベースバンド定義を使用してシグナリングされ得、ここにおいて、各ベースバンドは、ヌメロロジ、レイヤ、および帯域幅の組合せを示す。シグナリングコンポーネント１０１０からのシグナリングは、図１２〜図１５に関連して説明されたように、他の帯域組合せパラメータ、帯域幅クラス（単数または複数）、および／または帯域幅組合せセット（単数または複数）を含み得る。したがって、シグナリングコンポーネントは、少なくとも１つの帯域組合せに関してＲＦ能力情報を基地局にシグナリングし、ｏｂｐパラメータを基地局にシグナリングするように構成され得る。ＲＦ能力情報は、例えば少なくとも図１２および図１５に関連して説明されたように、少なくとも１つの他の帯域組合せパラメータを参照してＲＦ能力を示し得る。
【０１０７】
[00117]  本装置は、図９および図１５の前述のフローチャートにおけるアルゴリズムのブロックの各々を実行する追加のコンポーネントを含み得る。そのため、図９および図１５の前述のフローチャートにおける各ブロックは、１つのコンポーネントによって実行され得、本装置は、それらのコンポーネントのうちの１つまたは複数を含み得る。これらコンポーネントは、記述されたプロセス／アルゴリズムを遂行するように特に構成された１つまたは複数のハードウェアコンポーネントであり得るか、記述されたプロセス／アルゴリズムを行うように構成されたプロセッサによってインプリメントされ得るか、プロセッサによるインプリメンテーションのためにコンピュータ可読媒体内に記憶され得るか、またはこれらの何らかの組合せであり得る。
【０１０８】
[00118]  図１１は、処理システム１１１４を用いる装置１００２’のためのハードウェアのインプリメンテーションの例を例示する図１１００である。処理システム１１１４は、バス１１２４によって概して表されているバスアーキテクチャを用いてインプリメントされ得る。バス１１２４は、処理システム１１１４の特定の用途と全体的な設計制約に依存して、任意の数の相互接続バスおよびブリッジを含み得る。バス１１２４は、プロセッサ１１０４、コンポーネント１００４、１００６、１００８、１０１０、およびコンピュータ可読媒体／メモリ１１０６によって表される、１つまたは複数のプロセッサおよび／またはハードウェアコンポーネントを含む様々な回路を共にリンクさせる。バス１１２４はまた、タイミングソース、周辺機器、電圧レギュレータ、および電力管理回路などの他の様々な回路をリンクさせ得、これらは、当該技術分野で周知であるので、これ以上は説明されない。
【０１０９】
[00119]  処理システム１１１４は、トランシーバ１１１０に結合され得る。トランシーバ１１１０は、１つまたは複数のアンテナ１１２０に結合される。トランシーバ１１１０は、伝送媒体を介して他の様々な装置と通信するための手段を提供する。トランシーバ１１１０は、１つまたは複数のアンテナ１１２０から信号を受信し、受信された信号から情報を抽出し、抽出された情報を処理システム１１１４、特に受信コンポーネント１００４に提供する。さらに、トランシーバ１１１０は、処理システム１１１４、特に送信コンポーネント１００６から情報を受信し、受信された情報に基づいて、１つまたは複数のアンテナ１１２０に適用される信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む、汎用処理を担っている。このソフトウェアは、プロセッサ１１０４によって実行されると、処理システム１１１４に、任意の特定の装置に関して上述された様々な機能を行わせる。コンピュータ可読媒体／メモリ１１０６は、また、ソフトウェアを実行するときにプロセッサ１１０４によって操作されるデータを記憶するために使用され得る。処理システム１１１４は、コンポーネント１００４、１００６、１００８、１０１０のうちの少なくとも１つをさらに含む。コンポーネントは、コンピュータ可読媒体／メモリ１１０６に存在する／記憶された、プロセッサ１１０４において実行中のソフトウェアコンポーネント、プロセッサ１１０４に結合された１つまたは複数のハードウェアコンポーネント、またはこれらの何らかの組合せであり得る。処理システム１１１４は、ＵＥ３５０のコンポーネントであり得、メモリ３６０および／またはＴＸプロセッサ３６８、ＲＸプロセッサ３５６、およびコントローラ／プロセッサ３５９のうちの少なくとも１つを含み得る。
【０１１０】
[00120]  １つの構成では、ワイヤレス通信のための装置１００２／１００２’は、ＵＥ能力を決定するための手段と、ＵＥ能力情報をシグナリングするための手段とを含む。前述の手段は、前述の手段によって記載された機能を行うように構成された装置１００２’の処理システム１１１４および／または装置１００２の前述のコンポーネントのうちの１つまたは複数であり得る。上述されたように、処理システム１１１４は、ＴＸプロセッサ３６８、ＲＸプロセッサ３５６、およびコントローラ／プロセッサ３５９を含み得る。そのため、１つの構成では、前述の手段は、前述の手段によって記載された機能を実行するように構成されたＴＸプロセッサ３６８、ＲＸプロセッサ３５６、およびコントローラ／プロセッサ３５９であり得る。
【０１１１】
[00121]  図１６は、ワイヤレス通信の方法のフローチャート１６００である。本方法は、ＵＥ（例えば、ＵＥ１０４、３５０、装置１００２、１００２’）からＵＥ能力の指示（単数または複数）を受信する基地局（例えば、１０２、１８０、３１０、１０５０、装置１７０２、１７０２’）によって実行され得る。通信は、ＮＲ、例えば５Ｇ／ＮＲに基づき得る。本方法は、不要な能力情報の報告を低減する、より効率的かつ正確な様式で、基地局がＵＥ能力情報のシグナリングを受信することを可能にする。
【０１１２】
[00122]  １６０２において、基地局は、ＵＥ能力情報を基地局にシグナリングするＵＥからのシグナリングを受信する。そのようなシグナリングの様々な例が、例えば、ＵＥがＵＥ能力情報を基地局にシグナリングし得る様式に関する図７〜図９および図１２〜図１５に関連して提供されている。
【０１１３】
[00123]  １６０６において例示されるように、基地局は、図１２〜図１４のいずれかに関連して説明されたように、ＵＥから、他のベースバンドパラメータ（ｏｂｐ）の指示を受信し得る。ｏｂｐは、ＵＥによってサポートされる特徴（単数または複数）または特徴のセットを示す。そのような特徴は、リストにおいて示され得る。ｏｂｐという用語は一例にすぎない。これらのパラメータを説明するために他の用語が使用され得る。例えば、ｏｂｐは、特徴セットと呼ばれ得る。図１２は、１２０４において、例えば、Ｏｂｐ１、Ｏｂｐ２、Ｏｂｐ３．．．といったｏｂｐ識別子のリストを含む、例示的なｏｂｐリストを例示する。各ｏｂｐ識別子は、パラメータまたは特徴のセットに対応し得る。ｏｂｐ（単数または複数）についてのＵＥのサポートは、例えば、対応するｏｂｐ ＩＤ（単数または複数）と呼ばれ得るＩＤを使用して、帯域ごとに基地局に示され得る。ｏｂｐ（単数または複数）についてのＵＥのサポートは、ＣＣごとに基地局に示され得る。そのようなＣＣパラメータについてのＵＥのサポートは、ＩＤ、例えば、対応するｏｂｐ ＩＤ（単数または複数）を使用して基地局に示され得る。別の例では、ｏｂｐ（単数または複数）についてのＵＥのサポートは、例えばパラメータに依存して、帯域ごとおよびＣＣごとに基地局に示され得る。したがって、ある特定のｏｂｐパラメータについてのサポートは、帯域ごと、ＣＣごとベースで基地局に示され得、他のパラメータについてのサポートは、異なるベースを使用して示され得る。ｏｂｐパラメータについてのサポートは、対応するｏｂｐ ＩＤ（単数または複数）を使用して、帯域ごと、ＣＣごとベースで示され得る。
【０１１４】
[00124]  次いで、１６０８において、基地局は、少なくとも１つの帯域組合せに関して、および少なくとも１つのｏｂｐパラメータに関して、ＲＦ能力情報の指示をＵＥから受信し得る。ｏｂｐ（単数または複数）についてのサポートは、ｏｂｐ ＩＤを使用してＲＦ能力情報において示され得る。図１２は、ＲＦ能力情報１２０６が、ｏｂｐリスト１２０４からのｏｂｐ ＩＤを使用して示されることを例示する。図１２は、帯域組合せについてのＲＦ能力情報１２０６の例を例示する。他の用語が「ＲＦ能力情報」について使用され得る。例えば、ＲＦ能力情報が帯域組合せに関して示されるので、ＲＦ能力情報は、帯域組合せ情報として説明され得る。定義された各帯域組合せは、帯域幅組合せセット識別子を備え得、ここにおいて、ＲＦ能力情報は、帯域幅組合せセット識別子に関して、定義された複数のベースバンドのうちの１つについてのＲＦ能力を示す。ｏｂｐ（単数または複数）は、複数のＲＦ帯域にわたって共通であり得る。各帯域組合せは、ヌメロロジ、レイヤ、または帯域幅のうちの少なくとも１つを備える組合せを示し得る。ＲＦ能力情報は、含まれるヌメロロジ、レイヤ、および帯域幅が特定の帯域組合せについてサポートされるかどうかを示し得る。ｏｂｐ（単数または複数）は、帯域幅、レイヤ、およびヌメロロジ以外のパラメータを示し得る。ｏｂｐとして示され得るそのような能力／パラメータの例は、とりわけ、ＥＵＴＲＡ能力情報、ＮＲ能力情報、帯域内周波数分離情報、スケーリング係数情報、クロスキャリアスケジューリング情報、ＳＳＢなしのＳＣｅｌｌについてのサポート、制御チャネルモニタリング機会、ＵＥ固有のＵＬ−ＤＬ割当て情報、ＣＡのための探索空間共有情報、ＱＣＬのための持続時間、ＰＤＳＣＨまたはＰＵＳＣＨ処理情報、ＤＭＲＳ情報、サブキャリア間隔情報、サポートされるＤＬ帯域幅、サポートされるＵＬ帯域幅、チャネル帯域幅情報、ＰＤＳＣＨまたはＰＵＳＣＨについてのＭＩＭＯレイヤ情報、変調次数情報、ＳＲＳリソース情報、ＳＵＬ情報、同時送信情報等を含む。
【０１１５】
[00125]  １６１０において例示されるように、基地局は、例えば図１４に関連して説明されたように、ＵＥから、帯域幅組合せセット（ＢＣＳ）に関してＲＦ能力情報を受信し得る。ＢＣＳは、ヌメロロジ、帯域幅、および／またはレイヤの組合せに対応し得る。帯域幅組合せセットは、ヌメロロジ、帯域幅、および／またはレイヤのうちの少なくとも２つを組み合わせたものに対応し得る。帯域幅組合せセットは、ヌメロロジ、帯域幅、およびレイヤの組合せに対応し得る。
【０１１６】
[00126]  １６１２において例示されるように、基地局は、例えば図１３または図１４に関連して説明されたように、ＵＥから、帯域幅クラスに関してＲＦ能力情報の指示を受信し得る。帯域幅クラスは、ヌメロロジ、帯域幅、および／またはレイヤの組合せに対応し得る。帯域幅クラスは、ヌメロロジ、帯域幅、および／またはレイヤのうちの少なくとも２つを組み合わせたものに対応し得る。帯域幅クラスは、ヌメロロジ、帯域幅、およびレイヤの組合せに対応し得る。他の例では、基地局は、帯域幅クラスの指示を有さないＵＥ能力情報の指示を受信し得る。
【０１１７】
[00127]  １６１４において、基地局は、例えば、１６０２において受信された、受信された指示を使用してＵＥ能力（単数または複数）を決定する。ＵＥ能力は、図４〜図８および図１２〜図１４に関連して説明された能力のいずれかを備え得る。
【０１１８】
[00128]  １６１６において、基地局は、１６０２におけるシグナリングにおいて受信され、１６１４において決定されたＵＥ能力（単数または複数）に基づいて、ＵＥと通信し得る。
【０１１９】
[00129]  図１７は、例示的な装置１７０２における異なる手段／コンポーネント間のデータフローを例示する概念的なデータフロー図１７００である。本装置は、ＵＥ（例えば、１０４、３５０、１７５０、装置１００２、１００２’）からＵＥ能力情報を受信する基地局１０５０（例えば、基地局１０２、１８０、３１０、１０５０）であり得る。通信は、５Ｇ／ＮＲに基づき得る。本装置は、ＵＥ能力情報を含むアップリンク通信をＵＥ１７５０から受信する受信コンポーネント１７０４と、ＵＥ能力情報に基づいてＵＥ１７５０にダウンリンク通信を送信する送信コンポーネント１７０６とを含む。受信コンポーネント１７０４は、例えば１６０２に関連して説明されたように、ＵＥ能力（単数または複数）のシグナリングを受信するように構成され得る。本装置は、例えば１６１４に関連して説明されたように、受信されたシグナリングに基づいてＵＥ能力（単数または複数）を決定するように構成されたＵＥ能力コンポーネント１７０８を含み得る。シグナリングは、図７、図８、または図９に関連して説明されたように、少なくとも１つのベースバンドの指示を備える基地局へのＢＰＣ情報と、ＢＰＣにおいて示された少なくとも１つのベースバンドに関して基地局への無線周波数能力情報とを含み得る。ＵＥ能力情報は、基地局に明示的にシグナリングされるベースバンドおよび／またはベースバンド定義を使用してシグナリングされ得、ここにおいて、各ベースバンドは、ヌメロロジ、レイヤ、および帯域幅の組合せを示す。シグナリングは、図１２〜図１４および図１６に関連して説明されたように、他の帯域組合せパラメータ、帯域幅クラス（単数または複数）、および／または帯域幅組合せセット（単数または複数）を含み得る。したがって、ＵＥ能力コンポーネントは、ＵＥによって示された少なくとも１つの帯域組合せおよびｏｂｐパラメータに関してＵＥ能力を決定するように構成され得る。ＲＦ能力情報は、例えば少なくとも図１２および図１６に関連して説明されたように、少なくとも１つの他の帯域組合せパラメータに関してＲＦ能力を示し得る。本装置は、例えば１６１６に関連して説明されたように、ＵＥ能力情報に基づいてＵＥと通信するように構成された通信コンポーネント１７１０を含み得る。
【０１２０】
[00130]  本装置は、図１６の前述のフローチャートにおけるアルゴリズムのブロックの各々を実行する追加のコンポーネントを含み得る。そのため、図１６の前述のフローチャートにおける各ブロックは、１つのコンポーネントによって実行され得、本装置は、それらのコンポーネントのうちの１つまたは複数を含み得る。これらコンポーネントは、記述されたプロセス／アルゴリズムを遂行するように特に構成された１つまたは複数のハードウェアコンポーネントであり得るか、記述されたプロセス／アルゴリズムを行うように構成されたプロセッサによってインプリメントされ得るか、プロセッサによるインプリメンテーションのためにコンピュータ可読媒体内に記憶され得るか、またはこれらの何らかの組合せであり得る。
【０１２１】
[00131]  図１８は、処理システム１８１４を用いる装置１７０２’のためのハードウェアのインプリメンテーションの例を例示する図１８００である。処理システム１８１４は、バス１８２４によって概して表されているバスアーキテクチャを用いてインプリメントされ得る。バス１８２４は、処理システム１８１４の特定の用途と全体的な設計制約に依存して、任意の数の相互接続バスおよびブリッジを含み得る。バス１８２４は、プロセッサ１８０４、コンポーネント１７０４、１７０６、１７０８、１７１０、およびコンピュータ可読媒体／メモリ１８０６によって表される、１つまたは複数のプロセッサおよび／またはハードウェアコンポーネントを含む様々な回路を共にリンクさせる。バス１８２４はまた、タイミングソース、周辺機器、電圧レギュレータ、および電力管理回路などの他の様々な回路をリンクさせ得、これらは、当該技術分野で周知であるので、これ以上は説明されない。
【０１２２】
[00132]  処理システム１８１４は、トランシーバ１８１０に結合され得る。トランシーバ１８１０は、１つまたは複数のアンテナ１８２０に結合される。トランシーバ１８１０は、伝送媒体を介して他の様々な装置と通信するための手段を提供する。トランシーバ１８１０は、１つまたは複数のアンテナ１８２０から信号を受信し、受信された信号から情報を抽出し、抽出された情報を処理システム１８１４、特に受信コンポーネント１７０４に提供する。さらに、トランシーバ１８１０は、処理システム１８１４、特に送信コンポーネント１７０６から情報を受信し、受信された情報に基づいて、１つまたは複数のアンテナ１８２０に適用される信号を生成する。処理システム１８１４は、コンピュータ可読媒体／メモリ１８０６に結合されたプロセッサ１８０４を含む。プロセッサ１８０４は、コンピュータ可読媒体／メモリ１８０６に記憶されたソフトウェアの実行を含む、汎用処理を担っている。このソフトウェアは、プロセッサ１８０４によって実行されると、処理システム１８１４に、任意の特定の装置に関して上述された様々な機能を行わせる。コンピュータ可読媒体／メモリ１８０６は、また、ソフトウェアを実行するときにプロセッサ１８０４によって操作されるデータを記憶するために使用され得る。処理システム１８１４は、コンポーネント１７０４、１７０６、１７０８、１７１０のうちの少なくとも１つをさらに含む。コンポーネントは、コンピュータ可読媒体／メモリ１８０６に存在する／記憶された、プロセッサ１８０４において実行中のソフトウェアコンポーネント、プロセッサ１８０４に結合された１つまたは複数のハードウェアコンポーネント、またはこれらの何らかの組合せであり得る。処理システム１８１４は、基地局３１０のコンポーネントであり得、メモリ３７６、および／またはＴＸプロセッサ３１６、ＲＸプロセッサ３７０、およびコントローラ／プロセッサ３７５のうちの少なくとも１つを含み得る。
【０１２３】
[00133]  １つの構成では、ワイヤレス通信のための装置１７０２／１７０２’は、ＵＥ能力情報のシグナリングを受信するための手段と、受信されたシグナリングに基づいてＵＥ能力（単数または複数）を決定するための手段と、決定されたＵＥ能力（単数または複数）に基づいてＵＥと通信するための手段とを含む。前述の手段は、前述の手段によって記載された機能を行うように構成された装置１７０２’の処理システム１８１４および／または装置１７０２の前述のコンポーネントのうちの１つまたは複数であり得る。上述されたように、処理システム１８１４は、ＴＸプロセッサ３１６、ＲＸプロセッサ３７０、およびコントローラ／プロセッサ３７５を含み得る。そのため、１つの構成では、前述の手段は、前述の手段によって記載された機能を実行するように構成されたＴＸプロセッサ３１６、ＲＸプロセッサ３７０、およびコントローラ／プロセッサ３７５であり得る。
【０１２４】
[00134]  開示されたプロセス／フローチャートにおけるブロックの特定の順序または階層は例証的なアプローチの例示であることが理解される。設計の選好に基づいて、これらのプロセス／フローチャートにおけるブロックの特定の順序または階層が並べ換えられ得ることが理解される。さらに、いくつかのブロックは、組み合わされ得るか、または省略され得る。添付の方法の請求項は、例となる順序で様々なブロックの要素を提示するが、提示された特定の順序または階層に限定されるように意図されるものではない。
【０１２５】
[00135]  先の説明は、当業者が本明細書で説明されている様々な態様を実施することを可能にするために提供されている。これらの態様に対する様々な修正は、当業者に容易に明らかとなり、本明細書で定義される包括的な原理は他の態様に適用され得る。したがって、特許請求の範囲は、本明細書に示されている態様に限定されることが意図されたものではなく、請求項の文言と矛盾しない最大範囲であると認められるべきであり、ここにおいて、単数の要素の参照は、そのように明確に記載されていない限り、「１つおよび１つのみ」を意味するのではなく、むしろ「１つまたは複数」を意味するように意図されている。「例示的な」という用語は、本明細書では、「例、事例、または例示としての役割を果たす」ことを意味するように使用されている。「例示的な」ものとして、本明細書で説明される任意の態様は、必ずしも他の態様に対して好ましいまたは有利なものとして解釈されるべきではない。別段明記されていない限り、「いくつかの」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」などの組合せは、Ａのみ、Ｂのみ、Ｃのみ、ＡとＢ、ＡとＣ、ＢとＣ、またはＡとＢとＣであり得、ここで、このような任意の組合せが、Ａ、Ｂ、またはＣの１つまたは複数のメンバーを含み得る。当業者に既知である、または後に知られることになる、本開示全体にわたって説明された様々な態様の要素に対するすべての構造的および機能的な同等物が、参照によって本明細書に明確に組み込まれ、特許請求の範囲によって包含されることが意図されている。さらに、本明細書で開示されたものが、特許請求の範囲に明示的に記載されているかどうかにかかわらず、そのような開示は公に寄与されることを意図したものではない。「モジュール」、「メカニズム」、「要素」、「デバイス」などの用語は、「手段」という用語の代用でないこともある。このように、いずれの請求項の要素も、その要素が「〜のための手段」というフレーズを使用して明示的に記載されていない限り、ミーンズプラスファンクションとして解釈されるべきではない。
【図１】
2021514139.tif 000010
【図２】
2021514139.tif 000011
【図３】
2021514139.tif 000012
【図４】
2021514139.tif 000013
【図５】
2021514139.tif 000014
【図６】
2021514139.tif 000015
【図７】
2021514139.tif 000016
【図８】
2021514139.tif 000017
【図９】
2021514139.tif 000018
【図１０】
2021514139.tif 000019
【図１１】
2021514139.tif 000020
【図１２】
2021514139.tif 000021
【図１３】
2021514139.tif 000022
【図１４】
2021514139.tif 000023
【図１５】
2021514139.tif 000024
【図１６】
2021514139.tif 000025
【図１７】
2021514139.tif 000026
【図１８】
2021514139.tif 000027
【国際調査報告】
2021514139.tif 000028
2021514139.tif 000029
2021514139.tif 000030